(57)【特許請求の範囲】
【請求項１】
放送番組を受信し、当該受信した放送番組を表示する表示装置と、
前記表示装置を操作する表示装置制御手段と、
放送番組を受信し、当該受信した放送番組を記録再生および外部に出力する記録再生装置と、
前記表示装置と前記記録再生装置との間におけるデータの送受信を可能せしめる通信手段とを、備えており、
第一の操作が施された前記表示装置制御手段は、
記録済み放送番組一覧表の表示指示信号を発信し、
前記表示指示信号を受信した、前記表示装置は、
前記表示装置への映像信号の出力元を、前記記録再生装置とし、
前記記録再生装置で作成された記録済み放送番組一覧表を、前記通信手段を介して受信し、
前記受信した記録済み放送番組一覧表を表示し、
前記表示装置は、
前記記録済み放送番組一覧表を、前記記録再生装置が受信している放送番組を表示している画面の一部において、表示し、
前記表示装置への前記映像信号の出力元が前記表示装置の放送番組受信手段である状態において、前記表示装置が前記表示指示信号を受信したときには、前記表示装置は、
前記表示指示信号を受信する際に、前記表示装置が表示している放送番組のチャンネルの情報を、前記通信手段を介して前記記録再生装置に送信し、
前記記録再生装置は、
受信した前記チャンネル情報と同じチャンネルに、自機のチャンネルを切替え、
前記記録再生装置の前記チャンネルの切替え処理後、前記表示装置は、
前記表示装置への映像信号の出力元を、前記表示装置の前記放送番組受信手段から前記記録再生装置へと自動的に切替え、
前記記録済み放送番組一覧表を、前記記録再生装置が受信している前記放送番組を表示している画面の一部において、表示する、
ことを特徴とする放送番組視聴システム。
【請求項２】
前記記録済み放送番組一覧表から選択された、所望の放送番組の再生指示のための第二の操作が施された前記表示装置制御手段は、
前記所望の放送番組の再生指示信号を発信し、
前記再生指示信号を受信した、前記表示装置は、
前記通信手段を介して、前記記録再生装置に格納されている前記所望の放送番組の再生指示を行い、
前記表示装置への映像信号の出力元を、前記記録再生装置とし、
前記記録再生装置は、
前記再生指示に従い、前記所望の放送番組の再生を実施する、
ことを特徴とする請求項１に記載の放送番組視聴システム。
【請求項３】
前記所望の放送番組の再生が終了または停止されたときには、前記表示装置は、
前記表示装置への映像信号の出力元を、前記記録再生装置から前記表示装置の放送番組受信手段に自動的に切替える、
ことを特徴とする請求項２に記載の放送番組視聴システム。
【請求項４】
前記表示装置は、
前記記録再生装置の電源がオフの場合には、前記記録済み放送番組一覧表の表示前に、前記記録再生装置の電源をオンにする電源制御信号を、前記通信手段を介して、前記記録再生装置に送信する、
ことを特徴とする請求項１に記載の放送番組視聴システム。
【請求項５】
前記記録再生装置は、
放送番組のタイトルおよび放送番組のジャンル情報を取得するＥＰＧ解析部と、
前記ＥＰＧ解析部により取得される所定の記録済み放送番組のタイトルと、前記ＥＰＧ解析部により取得される前記所定の記録済み放送番組のジャンル情報とを、格納する記憶部とを、備えており、
前記表示装置は、
前記第一の操作の際に前記表示装置に表示されている放送番組のチャンネル情報を、前記通信手段を介して前記記録再生装置に送信し、
前記記録再生装置は、
前記ＥＰＧ解析部により、受信した前記チャンネル情報にて特定される放送番組のジャンル情報を取得し、
当該取得したジャンル情報と同じジャンル情報である、前記所定の記録済み放送番組の前記タイトルを前記記憶部から抽出し、
当該抽出した前記タイトルを用いて、前記記録済み放送番組一覧表を作成する、
ことを特徴とする請求項１に記載の放送番組視聴システム。
【請求項６】
前記記録再生装置は、
放送番組のタイトルおよび放送番組の時間情報を取得するＥＰＧ解析部と、
前記ＥＰＧ解析部により取得される所定の記録済み放送番組のタイトルと、前記ＥＰＧ解析部により取得される前記所定の記録済み放送番組の前記時間情報とを、格納する記憶部とを、備えており、
前記記憶部から前記タイトルおよび前記時間情報を抽出し、
前記時間情報に基づいて、前記記録済み放送番組一覧表における、前記タイトルの表示位置を決定する、
ことを特徴とする請求項１に記載の放送番組視聴システム。
【請求項７】
前記記録再生装置は、
放送番組のタイトル、放送番組のジャンル情報および放送番組の時間情報を取得するＥＰＧ解析部と、
前記ＥＰＧ解析部により取得される所定の記録済み放送番組のタイトルと、前記ＥＰＧ解析部により取得される前記所定の記録済み放送番組のジャンル情報と、前記ＥＰＧ解析部により取得される所定の記録済み放送番組の時間情報とを、格納する記憶部とを、備えており、
前記記憶部から前記ジャンル情報および前記時間情報を抽出し、
所定数の記録済み放送番組の前記ジャンル情報および前記時間情報を用いて、ジャンル別および時間別の統計処理を行い、
前記統計処理の結果と予め設定されているポイントテーブルとに基づいて、前記所定数の記録済み放送番組の各々に、ポイントを決定し、
前記決定されたポイントに基づいて、前記記録済み放送番組一覧表における、前記所定数の記録済み放送番組各々の前記タイトルの表示位置を決定する、
ことを特徴とする請求項１に記載の放送番組視聴システム。
【請求項８】
前記記録再生装置は、
放送番組から当該放送番組に関する詳細情報を取得するＥＰＧ解析部と、
前記詳細情報を記録する詳細情報記録部とを、備えており、
前記記録済み放送番組一覧表に列記されている、所定の記録済み放送番組の前記詳細情報の表示を求める第二の操作が施された前記表示装置制御手段は、
詳細情報要求信号を発信し、
前記表示装置および前記通信手段を介して前記詳細情報要求信号を受信した、前記記録再生装置は、
受信した前記詳細情報要求信号に応じて、前記所定の記録済み放送番組に関する前記詳細情報を、前記詳細情報記録部から抽出し、
当該抽出した前記所定の記録済み放送番組に関する前記詳細情報を、前記通信手段を介して受信した前記表示装置は、
前記所定の記録済み放送番組に関する前記詳細情報を表示する、
ことを特徴とする請求項１に記載の放送番組視聴システム。
【請求項９】
前記記録再生装置は、
前記放送番組視聴システムのユーザ毎に、記録済み放送番組を管理することができ、
前記表示装置制御手段に対して、ユーザ選択操作である第二の操作が施されたときには、前記表示装置は、
前記第二の操作により特定されるユーザ識別情報信号を、前記通信手段を介して前記記録再生装置に送信し、
前記ユーザ識別情報信号を受信した前記記録再生装置は、
前記ユーザ識別情報信号により特定される所定のユーザに関する、前記記録済み放送番組一覧表を作成し、
前記表示装置は、
前記所定のユーザに関する前記記録済み放送番組一覧表を表示する、
ことを特徴とする請求項１に記載の放送番組視聴システム。
【請求項１０】
前記記録再生装置は、
複数であり、
前記表示装置には、前記記録再生装置に関する優先度情報が設定されており、
前記表示指示信号を受信した、前記表示装置は、
前記優先度情報の優先度に基づいて決定された、一の前記記録再生装置で作成された、前記記録済み放送番組一覧表を表示する、
ことを特徴とする請求項１に記載の放送番組視聴システム。
【請求項１１】
前記表示指示信号を受信した、前記表示装置は、
複数の前記記録再生装置の電源のオン／オフ状況を確認し、
電源がオンである前記記録再生装置の中から、前記優先度情報の優先度に基づいて一の前記記録再生装置を決定し、
前記一の記録再生装置で作成された、前記記録済み放送番組一覧表を表示する、
ことを特徴とする請求項１に記載の放送番組視聴システム。
【請求項１２】
前記表示装置制御手段は、
遠隔操作が可能な、リモートコントローラである、
ことを特徴とする請求項１に記載の放送番組視聴システム。
【発明の詳細な説明】
【技術分野】
【０００１】
この発明は、放送番組視聴システムに係る発明であり、特に、放送番組を受信、表示する表示装置と、放送番組を受信、記録、再生する記録再生装置とを備える、放送番組視聴システムに関するものである。
【背景技術】
【０００２】
従来の表示装置と記録再生装置とは、双方向でデータを送受信する手段を持たず、表示装置と記録再生装置間で連係した動作を行うことができなかった。
【０００３】
この改善策として、表示装置と記録再生装置と間における双方向のデータ送受信を可能とするために、両装置間に当該双方向のデータの送受信を可能とするためのインターフェイスが設けられている（例えば、特許文献１）。
【０００４】
また、双方向でのデータ送受信が可能なインターフェイスとして、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格を採用しているものもある（例えば、特許文献２）。
【０００５】
【特許文献１】特開２００５−１８４０７９号公報
【特許文献２】特開２００５−１６７８９５号公報
【発明の開示】
【発明が解決しようとする課題】
【０００６】
従来の技術では、表示装置を使用している視聴者であるユーザが記録済み放送番組一覧を表示させようとする場合、表示装置に表示させる映像信号の出力元を、表示装置のチューナから記録再生装置側のチューナに手動で切替える必要があった。また、記録済み放送番組一覧を表示させるまでの諸操作を、記録再生装置の手順に従い、順番に行う等の煩雑な処理が必要あった。
【０００７】
そこで、本発明は、記録済み放送番組一覧を表示させる際に、煩雑な処理を必要としない放送番組視聴システムを提供することを目的とする。
【課題を解決するための手段】
【０００８】
上記の目的を達成するために、本発明に係る請求項１に記載の放送番組視聴システムは、放送番組を受信し、当該受信した放送番組を表示する表示装置と、前記表示装置を操作する表示装置制御手段と、放送番組を受信し、当該受信した放送番組を記録再生および外部に出力する記録再生装置と、前記表示装置と前記記録再生装置との間におけるデータの送受信を可能せしめる通信手段とを、備えており、第一の操作が施された前記表示装置制御手段は、記録済み放送番組一覧表の表示指示信号を発信し、前記表示指示信号を受信した、前記表示装置は、前記表示装置への映像信号の出力元を、前記記録再生装置とし、前記記録再生装置で作成された記録済み放送番組一覧表を、前記通信手段を介して受信し、前記受信した記録済み放送番組一覧表を表示する。
さらに、前記表示装置は、前記記録済み放送番組一覧表を、前記記録再生装置が受信している放送番組を表示している画面の一部において、表示する。
さらに、前記表示装置への前記映像信号の出力元が前記表示装置の放送番組受信手段である状態において、前記表示装置が前記表示指示信号を受信したときには、前記表示装置は、前記表示指示信号を受信する際に、前記表示装置が表示している放送番組のチャンネルの情報を、前記通信手段を介して前記記録再生装置に送信し、前記記録再生装置は、受信した前記チャンネル情報と同じチャンネルに、自機のチャンネルを切替え、前記記録再生装置の前記チャンネルの切替え処理後、前記表示装置は、前記表示装置への映像信号の出力元を、前記表示装置の前記放送番組受信手段から前記記録再生装置へと自動的に切替え、前記記録済み放送番組一覧表を、前記記録再生装置が受信している前記放送番組を表示している画面の一部において、表示する。
【発明の効果】
【００１０】
本発明の請求項１に記載の放送番組視聴システムは、第一の操作が施された表示装置制御手段は、記録済み放送番組一覧表示指示信号を発信する。当該記録済み放送番組一覧表示指示信号を受信した表示装置は、表示装置への映像信号の出力元を、記録再生装置とする。その後、表示装置は、通信手段を介して、記録再生装置で作成された記録済み放送番組一覧表を表示する。
【００１２】
したがって、ユーザ自身が、表示装置の映像信号の出力元の切換を行うことなく、記録済み放送番組一覧を確認できる。つまり、記録済み放送番組一覧を表示させる際に、煩雑な処理を必要としない。
【発明を実施するための最良の形態】
【００１３】
以下、この発明をその実施の形態を示す図面に基づいて具体的に説明する。
【００１４】
＜実施の形態１＞
図１は、本実施の形態に係る放送番組視聴システムの構成を示すブロック図である。図１に示すように、放送番組視聴システムは、表示装置（図面において、テレビと称する場合も）１０１、記録再生装置（図面において、レコーダーと称する場合もある）１０２、およびリモートコントローラ（図面において、リモコンと称する場合もある）１１４，１３０を有する。
【００１５】
表示装置１０１は、アンテナ１０４を介してデジタル放送番組を受信することができ、当該受信した放送番組を表示することができるデジタルテレビである。また、記録再生装置１０２は、アンテナ１２１を介してデジタル放送番組を受信し、当該受信した放送番組を記録再生、および外部機器へと出力することができるデジタルレコード・プレイヤーである。表示装置１０１は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）部１１６を有し、記録再生装置１０２は、ＨＤＭＩ部１３２を有している。
【００１６】
そして、両ＨＤＭＩ部１１６，１３２間は、ＨＤＭＩケーブル１０３により相互に接続されている。したがって、当該ＨＤＭＩ部１１６，１３２およびＨＤＭＩケーブル１０３により、表示装置１０１と記録再生装置１０２と間におけるデータの送受信を可能とする通信手段を構成されている。また、放送番組視聴システムは、表示装置１０１を遠隔操作することができるリモートコントローラ（表示装置制御手段と把握できる）１１４を有する。また、放送番組視聴システムは、表示装置１０２を遠隔操作することができるリモートコントローラ１３０を有する。
【００１７】
アンテナ１０４は、表示装置１０１の外部に設置されている。表示装置１０１内には、チューナー部１０５、復調・誤り訂正部１０６、デコード部１０７、入力切換部１０８、および映像音声表示部（液晶パネルやスピーカー等から構成される）１０９が配設されている。
【００１８】
さらに、表示装置１０１内には、表示装置１０１全体を制御するＣＰＵ（Ｃｅｎｔｒａｌ  Ｐｒｏｃｅｓｓｉｎｇ  Ｕｎｉｔ：中央演算装置）、ＣＰＵ１１０のプログラム等を格納したＲＯＭ（Ｒｅａｄ−Ｏｎｌｙ  Ｍｅｍｏｒｙ）１１１、ＣＰＵ１１０がワークエリアとして使用するＲＡＭ（Ｒａｎｄｏｍ−Ａｃｃｅｓｓ  Ｍｅｍｏｒｙ）１１２、およびＣＰＵ１１０のＣＰＵバス１１３が配設されている。
【００１９】
さらに、表示装置１０１内には、リモートコントローラ１１４から出力された赤外線信号を受信するリモートコントローラ受光部１１５、ＨＤＭＩインターフェイス部１１６、およびＣＥＣ（Ｃｏｎｓｕｍｅｒ  Ｅｌｅｃｔｒｏｎｉｃｓ  Ｃｏｎｔｒｏｌ）ライン１１７が配設されている。ＣＥＣライン１１７は、ＣＰＵ１１０と接続され、ＨＤＭＩインターフェイス部１１６やＨＤＭＩケーブル１０３を介して、記録再生装置１０２と通信する。
【００２０】
アンテナ１２１は、記録再生装置１０２の外部に設置されている。記録再生装置１０２内には、チューナー部１２２、復調・誤り訂正部１２３、デコード部１２４、受信した放送番組を記録するための蓄積部１２５が配設されている。
【００２１】
さらに、記録再生装置１０２には、記録再生装置１０２全体を制御するＣＰＵ１２６、ＣＰＵ１２６のプログラム等を格納したＲＯＭ１２７、ＣＰＵ１２６がワークエリアとして使用するＲＡＭ１２８、ＣＰＵ１２６のＣＰＵバス１２９が配設されている。
【００２２】
さらに、記録再生装置１０２は、リモートコントローラ１３０から出力された赤外線信号を受信するリモートコントローラ受光部１３１、記録再生装置１０２に内蔵されたＨＤＭＩインターフェイス部１３２、ＣＥＣライン１３３が配設されている。ここで、ＣＥＣライン１３３は、ＣＰＵ１２６と接続され、ＨＤＭＩインターフェイス部１３２やＨＤＭＩケーブル１０３を介して、表示装置１０１と通信するＣＥＣラインである。
【００２３】
次に、本実施の形態に係る放送番組視聴システムの動作について説明する。
【００２４】
表示装置１０１は、上述したように、外部に接続されたアンテナ１０４から入力されたデジタル放送信号を受信して表示するデジタル放送対応テレビである。視聴者であるユーザがリモートコントローラ１１４を操作して、表示装置１０１に対して番組を受信して表示するように指示を与える。すると、リモートコントローラ受光部１１５で受信された赤外線信号は、ＣＰＵバス１１３で接続されたＣＰＵ１１０に伝達される。ＣＰＵ１１０は、リモートコントローラ受光部１１５で受信した赤外線信号を解釈する。そして、ＣＰＵ１１０は、ＣＰＵバス１１３を介して接続された、表示装置１０１内の各ブロックを制御して受信動作を開始する。
【００２５】
以下、表示装置１０１の番組視聴動作について説明する。
【００２６】
まず、アンテナ１０４から同軸ケーブル等を介して、デジタル放送信号を含んだＲＦ（Ｒａｄｉｏ  Ｆｒｅｑｕｅｎｃｙ）信号が、チューナー部１０５に入力される。チューナー部１０５は入力されたＲＦ信号から必要な信号を抽出して、復調・誤り訂正部１０６に送る。復調・誤り訂正部１０６では、受信した信号から放送のデジタル信号を復元し、誤り訂正等の処理を施した後、デコード部１０７にビットストリームとして送信する。
【００２７】
一般的には、上記ビットストリームは、ＭＰＥＧ（Ｍｏｖｉｎｇ  Ｐｉｃｔｕｒｅ  Ｅｘｐｅｒｔｓ  Ｇｒｏｕｐ）−２トランスポートストリーム（以下ＴＳ）形式である。デコード部１０７では、受信したＴＳから必要なデータを抽出して、映像音声信号を復号する。復号された映像音声信号は、入力切換部１０８を通して液晶パネルやスピーカー等から成る映像音声表示部１０９で表示される。以上が、表示装置１０１を使用した番組視聴動作である。
【００２８】
次に、記録再生装置１０２の動作について説明する。
【００２９】
記録再生装置１０２は、例えば外部に接続されたアンテナ１０４から入力されたデジタル放送信号を受信する。そして、記録再生装置１０２は、内蔵したハードディスクドライブに放送番組を記録する。さらに、記録再生装置１０２は、記録された番組を再生して表示装置１０１に出力する。つまり、記録再生装置１０２は、デジタル放送対応ハードディスクレコーダーである。
【００３０】
ユーザがリモートコントローラ１３０を操作して、記録再生装置１０２に対して番組を受信して記録するように指示を与える。すると、リモートコントローラ受光部１３１で受信された赤外線信号は、ＣＰＵバス１２９で接続されたＣＰＵ１２６に伝達される。ＣＰＵ１２６は、リモートコントローラ受光部１３１で受信した赤外線信号を解釈する。そして、ＣＰＵ１２６は、ＣＰＵバス１２９を介して接続された、記録再生装置１０２内の各ブロックを制御して受信と記録動作を開始する。
【００３１】
以下、記録再生装置１０２の番組受信動作について説明する。
【００３２】
まず、アンテナ１２１から同軸ケーブル等を介して、デジタル放送信号を含んだＲＦ信号が、チューナー部１２２に入力される。チューナー部１２２は、入力されたＲＦ信号から必要な信号を抽出して、復調・誤り訂正部１２３に送る。復調・誤り訂正部１２３では、受信した信号から放送のデジタル信号を復元し、誤り訂正等の処理を施した後、デコード部１２４にビットストリームとして送信する。一般的には、当該ビットストリームは、上記ＴＳ形式である。デコード部１２４では、受信したＴＳから必要なデータを抽出して、映像音声信号を復号する。復号された映像音声信号は、ＨＤＭＩインターフェイス部１３２を通して表示装置１０１に送信される。以上が記録再生装置１０２を使用した番組受信動作である。
【００３３】
引き続き、記録再生装置１０２の番組記録再生動作について説明する。
【００３４】
また、デコード部１２４は、受信したビットストリームを、ハードディスクドライブ（以下ＨＤＤ）等から構成された蓄積部１２５に記録する。記録された放送番組は、ユーザの指示に従い、蓄積部１２５から再生されてデコード部１２４で映像音声信号に復号される。デコード部１２４と蓄積部１２５は、ＡＴＡ（ＡＴ  Ａｔｔａｃｈｍｅｎｔ）インターフェイス等の高速インターフェイスで接続されている。現在受信中の放送番組のビットストリームを記録しながら、同時に時分割で蓄積部１２５に記録された放送番組のビットストリームを再生して映像音声信号を復号することもできる。また、ＣＰＵ１２６は、ＣＰＵバス１２９を介してデコード部１２４を制御し、蓄積部１２５に記録された放送番組を削除することもできる。以上が、記録再生装置１０２を使用した番組の記録再生動作である。
【００３５】
従来では、表示装置１０１と記録再生装置１０２と間には、双方向でデータ送受信が可能な通信路が用意されていなかった。したがって、ユーザは、表示装置１０１を操作して現在放送中のデジタル放送番組を視聴する。もしくは、視聴者は、記録再生装置１０２を操作して放送番組を記録すると共に、記録再生装置１０２で受信・復号した映像音声信号を、ＨＤＭＩインターフェイス部１３２とＨＤＭＩケーブル１０３とを経由して表示装置１０１に送信し、映像音声表示部１０９に表示する使用方法が主流であった。
【００３６】
近年、双方向でデータ送受信が可能な通信手段を表示装置１０１と記録再生装置１０２と間に用意し、表示装置１０１側から記録再生装置１０２に記録開始命令を送信して、任意の放送番組を記録再生装置１０２で記録することで、ユーザの使い勝手を向上させた製品が登場している。
【００３７】
本実施の形態に係る放送番組視聴システムでは、データ送受信が可能な通信手段として、ＨＤＭＩ規格で規定されたＣＥＣインターフェイスを使用する。ＣＥＣインターフェイスは、ＣＥＣライン１１７とＨＤＭＩケーブル１０３及びＣＥＣライン１３３をデータ伝送路として、ＣＰＵ１１０とＣＰＵ１２６間で双方向のデータ通信を行うインターフェイスである。ＣＥＣインターフェイスは、電源オンオフ記録や記録開始等のコマンドを送受信することで、互いに相手を制御することができる。
【００３８】
図１において、例えばユーザが、表示装置１０１を使用して視聴中に記録再生装置１０２に蓄積された記録済み放送番組一覧を確認するとする。この場合、リモートコントローラ１１４の専用キーを操作する（表示装置制御手段が第一の操作が施されたと把握できる）。リモートコントローラ１１４は、記録済み放送番組一覧表（再生リスト）の表示指示信号（コマンド）を発信する。つまり、当該リモートコントローラ１１４は、記録再生装置１０２に蓄積された記録済み放送番組一覧表を表示する指示を、表示装置１０１に送信する。
【００３９】
記録済み放送番組一覧表の表示指示信号を受信した、前記表示装置は次の動作を行う。具体的に、リモートコントローラ受光部１１５で受信された赤外線信号（記録済み放送番組一覧表表示指示信号）は、ＣＰＵバス１１３で接続されたＣＰＵ１１０に伝達される。当該信号を受けたＣＰＵ１１０は、ＣＥＣライン１１７を制御して、ＨＤＭＩインターフェイス部１１６を経由し、ＨＤＭＩケーブル１０３を通して最終的に記録再生装置１０２に記録済み放送番組一覧表表示コマンドを伝達する。
【００４０】
表示装置１０１から送信された記録済み放送番組一覧表表示コマンドは、記録再生装置１０２のＨＤＭＩインターフェイス部１３２を経由して、ＣＥＣライン１３３を制御し、ＣＰＵ１２６に伝達される。ＣＰＵ１２６は、ＣＰＵバス１２９を介して、蓄積部１２５から記録済み放送番組一覧表の表示を開始する。また、ＣＰＵ１２６は、デコーダー部１２４を制御して蓄積部１２５に記録された指定番組を読み出して、記録済み放送番組一覧表を、表示部の一部領域に表示する。
【００４１】
表示装置１０１では、映像音声表示部１０９への映像信号の出力元を、記録再生装置１０２に自動的に切替える。具体的に、表示装置１０１のＣＰＵ１１０は、ＨＤＭＩケーブル１０３を通して記録再生装置１０２の記録済み放送番組一覧表を表示（受信）したことを検知する。すると、ＣＰＵ１１０は、入力切換部１０８を制御して、映像音声表示部１０９に送信する映像音声情報を、デコード部１０７からの出力信号から、ＨＤＭＩケーブル１０３の出力信号へと自動的に切り換える。
【００４２】
これら一連の動作により、映像音声表示部１０９には、自動的に記録再生装置１０２で蓄積された記録済み放送番組一覧表が表示される。つまり、上述した通信手段を介して、記録再生装置１０２で作成された、記録済み放送番組一覧表を表示装置１０１は表示する。
【００４３】
したがって、ユーザは表示装置１０１の映像信号の出力元の切換を行うことなく、記録済み放送番組一覧を確認できる。
【００４４】
ユーザは、記録再生装置１０２に蓄積された記録済み番組一覧表から任意の番組を選択して再生する。この場合、リモートコントローラ１１４を使用して、任意の番組を再生する指示を表示装置１０１に送信する。つまり、リモートコントローラ１１４には、表示されている記録済み放送番組一覧表から選択された、所望の放送番組の再生指示（特定番組選択・再生）のための第二の操作が施される。そして、リモートコントローラ１１４は、当該所望の放送番組の再生指示信号を発生させ、表示装置１０１へ送信する。
【００４５】
再生指示信号を受信した表示装置１０１は、上記通信手段を介して、記録再生装置１０２に格納されている所望の放送番組の再生指示を行う。具体的に、リモートコントローラ受光部１１５で受信された赤外線信号（生成指示信号）は、ＣＰＵバス１１３で接続されたＣＰＵ１１０に伝達される。指示を受けたＣＰＵ１１０は、ＣＥＣライン１１７を制御して、ＨＤＭＩインターフェイス部１１６を経由し、ＨＤＭＩケーブル１０３を通して記録再生装置１０２に小もの放送番組の再生を開始するコマンドを伝達する。
【００４６】
記録再生装置１０２は、再生指示（または上記再生を開始するコマンド）に従い、所望の放送番組の再生を実施する。具体的に、表示装置１０１から送信された再生開始コマンドは、記録再生装置１０２のＨＤＭＩインターフェイス部１３２を経由して、ＣＥＣライン１３３を制御し、ＣＰＵ１２６に伝達される。ＣＰＵ１２６は、ＣＰＵバス１２２を介してデコード部１２２を制御して再生動作を行い、蓄積部１２５から上記所望の放送番組の再生を開始する。また、ＣＰＵ１２６は、デコーダ部１２４を制御して、上記所望の放送番組の映像音声情報を再生し、ＨＤＭＩインターフェイス部１３２に送信する。ＨＤＭＩインターフェイス部１３２は、ＨＤＭＩケーブル１０３を通して映像音声情報を送信する。
【００４７】
表示装置１０１のＣＰＵ１１０は、ＨＤＭＩケーブル１０３を通して映像音声情報を受信したことを検知する。すると、映像音声情報を、入力切換部１０８を経由して映像音声表示部１０９に送信する。なお、再生映像の表示に際して、表示装置１０１は、表示装置１０１への映像信号の出力元、記録再生装置１０２に自動的に切り替えておく必要がある。
【００４８】
これら一連の動作により、映像音声表示部１０９には、ユーザが選択した記録済み放送番組の再生映像音声が表示される。従来の記録済み放送番組一覧表示から所望の放送番組を選択再生する動作と異なり、ユーザは記録再生装置１０２のリモートコントローラ１３０を操作する必要はない。
【００４９】
所望の放送番組の再生が終了または停止されたときには、表示装置１０１は、表示装置１０１（映像音声表示部１０９）への映像信号の出力元を、記録再生装置１０２から表示装置１０１のチューナ部（放送番組受信手段と把握できる）１０５に自動的に切替える。そして、表示装置１０１のアンテナ１０４が受信し、チューナ部１０５で選局された放送番組を、表示装置１０１は表示する。
【００５０】
具体的に、記録再生装置１０２が上記所望の放送番組の再生が終了、または、リモートコントローラ１１４を使用して上記所望の放送番組の再生が強制的に停止終了させたとする。この場合、表示装置１０１は、ＨＤＭＩケーブル１１３を通じて番組の再生終了を伝達する。表示装置１０１のＣＰＵ１１０は、ＨＤＭＩケーブル１０３を通じて再生中の番組の再生が終了したことを検知する。すると、ＣＰＵ１１０は、表示装置１０１（映像音声表示部１０９）への映像信号の出力元を、記録再生装置１０２から表示装置１０１のチューナ部（放送番組受信手段と把握できる）１０５に自動的に切替える。したがって、表示装置１０１のアンテナ１０４が受信し、チューナー部１０５で受信・選局された放送番組が入力切換部１０８を経由して、映像音声表示部（以下、単に表示部と称する）１０９において出力される。つまり、表示装置１０１が受信している放送番組を、当該再生終了後、表示装置１０１は表示する（番組表示再開処理）。
【００５１】
従来、記録済み放送番組の再生終了後に、ユーザがリモートコントローラ１１４の入力切換キーを押下する。これによりテレビからの映像音声表示状態に変更していた。しかし、当該動作と異なり、上記番組表示再開処理を採用することにより、ユーザは表示装置１０１のリモートコントローラ１１４、もしくは、記録再生装置１０２のリモートコントローラ１３０を操作する必要は無い。
【００５２】
図２，３は、本実施の形態１における表示装置１０１と記録再生装置１０２の連携動作を示す概略フローチャートの例である。図中で左側は、表示装置１０１の動作を示し、右側は記録再生装置１０２の動作を示す。さらに、点線は、ＣＥＣライン１１７、ＨＤＭＩインターフェイス部１１６、ＨＤＭＩケーブル１０３、ＨＤＭＩインターフェイス部１３２、ＣＥＣライン１３３を介して送受信される、表示装置１０１と記録再生装置１０２間のデータ通信（以降、ＣＥＣ通信と呼ぶ）を示している。
【００５３】
なお、図面の都合上、一連のフローを図２，３に分割している。ＳＴＥＰ１０１〜ＳＴＥＰ１０８およびＳＴＥＰ２０１〜ＳＴＥＰ２１０は、図２に示す。他方、ＳＴＥＰ１０９〜ＳＴＥＰ１１６およびＳＴＥＰ２１１〜ＳＴＥＰ２１８は、図３に示す。
【００５４】
まずユーザは、表示装置１０１を使用して放送番組の視聴を開始する（ＳＴＥＰ１０１）。表示装置１０１は、ユーザが、リモートコントローラ１１４の再生リスト（記録済み放送番組一覧表）キーを押したかどうかを監視している（ＳＴＥＰ１０２）。表示装置１０１は、ユーザが、リモートコントローラ１０４の再生リストキーを押したことを検知する（ＳＴＥＰ１０２で「ＹＥＳ」）。すると、表示装装置は、記録再生装置１０２に対して、ＣＥＣ通信で記録再生装置状態確認コマンドを送信する（ＳＴＥＰ１０３）。このとき、記録再生装置１０２には電源が投入されていない状態にあるものとする（ＳＴＥＰ２０１）。
【００５５】
記録再生装置１０２は、表示装置１０１から記録再生装置状態確認コマンドが送信されてきたかどうかを監視している（ＳＴＥＰ２０２）。記録再生装置１０２は、表示装置１０１からの記録再生装置状態確認コマンドを受信する（ＳＴＥＰ２０２で「ＹＥＳ」）。すると、再度記録再生装置が電源オフ状態であるかを確認する（ＳＴＥＰ２０３）。電源オフ状態であることを確認する（ＳＴＥＰ２０３で「ＹＥＳ」）。すると、記録再生装置１０２は、表示装置１０１に対して、ＣＥＣ通信で記録再生装置の電源オフ応答コマンドを送信する（ＳＴＥＰ２０４）。
【００５６】
表示装置１０１は、記録再生装置１０２からの電源オフ応答が送信されてきたかどうかを監視している（ＳＴＥＰ１０４）。ＳＴＥＰ１０４で電源オフ応答コマンドを受信したとする（ＳＴＥＰ１０４で「ＹＥＳ」）。この場合、表示装置１０１は、記録再生装置１０２に対して、ＣＥＣ通信で記録再生装置電源オンコマンドを送信する（ＳＴＥＰ１０５）。
【００５７】
図２におけるステップＳＴＥＰ１０３からＳＴＥＰ１０５までの一連の処理が、表示装置１０１が、記録再生装置の電源がオフの場合に、記録済み放送番組一覧表の表示前に、記録再生装置の電源をオンにする電源制御信号を、上記通信手段を介して、記録再生装置１０２に送信する処理である。
【００５８】
記録再生装置１０２は、表示装置１０１からの電源オンコマンドが送信されてきたかどうかを監視している（ＳＴＥＰ２０５）。ＳＴＥＰ２０５で電源オンコマンドを受信したとする（ＳＴＥＰ２０５で「ＹＥＳ」）。この場合、当該記録再生装置１０２は、自機の電源オン処理を行う（ＳＴＥＰ２０６）。そして、当該記録再生装置１０２は、電源がオンされた際に表示装置１０１に対して、ＣＥＣ通信で当該電源オン応答を送信する（ＳＴＥＰ２０７）。
【００５９】
表示装置１０１は、記録再生装置１０２からの電源オン応答が送信されてきたかどうかを監視している（ＳＴＥＰ１０６）。ＳＴＥＰ１０６で電源オン応答コマンドを受信したとする（ＳＴＥＰ１０６で「ＹＥＳ」）。この場合、表示装置１０１は、記録再生装置１０２に対して、ＣＥＣ通信で再生リストコマンドを送信する（ＳＴＥＰ１０７）。
【００６０】
記録再生装置１０２は、表示装置１０１からの再生リストコマンドが送信されてきたかどうかを監視している（ＳＴＥＰ２０８）。記録再生装置１０２が、再生リストコマンドの受信を確認したとする（ＳＴＥＰ２０８で「ＹＥＳ」）。当該場合には、記録再生装置１０２は、記録再生装置１０２内部で作成・記録された放送番組一覧から、記録の新しい順での再生リスト表示（記録済み放送番組一覧表の表示）が可能かを確認する（ＳＴＥＰ２０９）。そして、記録再生装置１０２が再生リスト表示が可能であると確認した場合には（ＳＴＥＰ２０９で「ＹＥＳ」）、表示装置１０１に対して、ＣＥＣ通信で再生リスト表示可能応答コマンドを送信する（ＳＴＥＰ２１０）。また、記録再生装置１０２は、再生リスト表示可能応答コマンドを送信した後、前記の記録された放送番組一覧から記録の新しい順での再生リスト表示（記録済み放送番組一覧表の表示）を行う（ＳＴＥＰ２１１）。
【００６１】
表示装置１０１は、記録再生装置１０２からの再生リスト表示可能コマンドが送信されてきたかどうかを監視している（ＳＴＥＰ１０８）。表示装置１０１が、再生リスト表示可能コマンドを受信したとする（ＳＴＥＰ１０８で「ＹＥＳ」）。この場合には、表示装置１０１は、自動的に、表示装置１０１の入力状態（表示部９への映像信号の出力元）を記録再生装置１０２の入力映像音声に表示切換する（ＳＴＥＰ１０９）。
【００６２】
記録再生装置１０２の入力映像音声表示状態なので、表示装置１０１には、再生リスト（記録済み放送番組一覧表）の表示を行う。
【００６３】
さて、当該再生リスト表示を視聴中に、ユーザが、表示装置１０１のリモートコントローラ１１４の上キー、または下キーを押下することによって任意の記録済み放送番組を選択（特定番組選択）し、決定キー押下により再生を行う放送番組を特定したとする（第二の操作と把握できる）。これに対して、表示装置１０１は、ユーザによるリモートコントローラ１１４の上記キー操作を監視していて（ＳＴＥＰ１１０）。そして、当該キー操作を行う毎（ＳＴＥＰ１１０で「ＹＥＳ」）に、表示装置１０１は、記録再生装置１０２に対して、ＣＥＣ通信で、選択された放送番組の再生指示コマンドを送信する（ＳＴＥＰ１１１）。
【００６４】
記録再生装置１０２は、表示装置１０１からの再生指示コマンドを受信したかどうかを監視している（ＳＴＥＰ２１２）。記録再生装置１０２が、上記再生指示コマンドを受信したとする（ＳＴＥＰ２１２で「ＹＥＳ」）。この場合、記録再生装置１０２は、再生リスト表示（記録済み放送番組一覧表）の記録済み放送番組から、選択された放送番組を特定し、当該特定した記録済み放送番組の再生を開始する（ＳＴＥＰ２１３）。その後、記録再生装置１０２は、表示装置１０１に対して、ＣＥＣ通信で特定番組の再生開始応答コマンドを送信する（ＳＴＥＰ２１４）。
【００６５】
表示装置１０１は、記録再生装置１０２からの特定番組再生開始応答コマンドを受信したかを監視している（ＳＴＥＰ１１２）。特定番組再生開始応答コマンドを受信した場合には（ＳＴＥＰ１１２で「ＹＥＳ」）、表示装置１０１は、特定番組再生状態に移行していることを認識しておく。
【００６６】
表示装置１０１は、特定番組再生状態からリモートコントローラ１１４の停止キー押下により特定番組の再生を停止するかを監視している（ＳＴＥＰ１１３）。そして、特定番組再生停止操作が行われた場合には（ＳＴＥＰ１１３で「ＹＥＳ」）、表示装置１０１は、記録再生装置１０２に対して、ＣＥＣ通信で特定番組再生停止コマンドを送信する（ＳＴＥＰ１１４）。
【００６７】
一方、記録再生装置１０２は、特定番組の再生が最後まで完了したかどうかを監視している（ＳＴＥＰ２１５）。また、表示装置１０１から特定番組再生停止コマンドを受信したかも監視している（ＳＴＥＰ２１６）。特定番組の再生が最後まで完了した場合、もしくは、特定番組の再生が最後まで完了していないが特定番組再生停止コマンドを受信したとする（ＳＴＥＰ２１５で「ＹＳＥ」またはＳＴＥＰ２１６で「ＹＥＳ」）。当該場合には、記録再生装置１０２は特定番組の再生を停止し（ＳＴＥＰ２１７）、表示装置１０１に対して、ＣＥＣ通信で再生停止応答を送信する（ＳＴＥＰ２１８）。
【００６８】
表示装置１０１は、記録再生装置１０２からの再生停止応答コマンドを受信したかを監視している（ＳＴＥＰ１１５）。ＳＴＥＰ１１５で再生停止応答コマンドを受信した場合（ＳＴＥＰ１１５で「ＹＥＳ」）、自動的に、表示装置１０１の入力状態（表示部１０９への映像信号の出力元）を表示装置１０１のチューナー部１０５で受信・選局した放送番組映像音声に切換する（ＳＴＥＰ１１６）。
【００６９】
上記図２、３を用いた説明では、記録再生装置１０２は電源オフ状態とした。しかし、記録再生装置１０２の電源オン状態の場合でも、表示装置１０１からの電源オンコマンド送信等を省略することにより、図２，３のフローを直接適用できる。
【００７０】
なお、従来では、ユーザが記録済み放送番組一覧表を見ようとした際、記録再生装置の電源がＯＮされていなかった場合、ユーザが記録再生装置の電源を入れてから再度設定をやりなおす処置が必要になっていた。
【００７１】
本実施の形態では、記録再生装置１０２の電源がＯＦＦの場合、電源を自動的に入れる処理を追加した。このため、電源のＯＮ／ＯＦＦや記録再生装置１０２の接続状態によらず、表示装置１０１からの記録済み放送番組一覧表の表示指示だけで、全体システムが動作する。したがって、ユーザによる煩雑な設定や接続状態の確認等が一切不要にすることができる。
【００７２】
また、本実施の形態では、記録再生装置１０２の記録済み放送番組一覧表から、表示装置１０１のリモートコントローラ１１４の特定キーを用いて、所望の記録済み放送番組を特定（再生）する場合に言及した。しかし、リモートコントローラ１１４の別キーを用いることにより、所望の記録済み放送番組を特定（再生）してもよい。
【００７３】
従来では、記録再生装置の表示画面にて記録済み放送番組一覧表を見た後は、表示装置の入力画面を元にもどす等の煩雑な処置が必要になっていた。
【００７４】
本実施の形態では、ＳＴＥＰ１１６等にもあるように、ユーザが放送番組の再生終了後もしくは再生の必要がなくなったときに、自動的に表示装置１０１側の視聴状態に戻すように構成した。これにより、ユーザが表示装置１０１の視聴状態を維持することができ、また再生終了後使用者の入力切換の作業を行う必要がなく、表示装置１０１および記録再生装置１０２の利便性を向上させることができる。
【００７５】
以上のように、本実施の形態では、ユーザが表示装置１０１側のリモートコントローラ１１４を操作するだけで、表示装置１０１側から記録再生装置１０２を制御して記録再生装置１０２内に蓄積された記録済み放送番組一覧表を表示させることができるとともに、記録済み放送番組一覧表の特定の番組を選択すれば、記録再生装置１０２からの録画映像を再生できる。これにより、記録再生装置１０２を新たに立ち上げたり設定したりする手間を省くことでユーザの利便性を高めることが可能となる。
【００７６】
＜実施の形態２＞
図４は、表示装置１０１（表示部１０９）に表示される画像の様子の一例を示す模式図である。図４に示すように、表示装置１０１の右側一部に、記録再生装置１０２で作成・出力された記録済み放送番組一覧表１３４が表示されている。なお、表示装置１０１（表示部１０９）への映像信号の出力元が表示装置１０１のチューナー部１０５である場合には、表示装置１０１（表示装置１０９）における当該記録済み放送番組一覧表１３４が表示されている領域以外の領域には、表示装置１０１が受信した映像信号に基づく放送番組が表示される。または、表示装置１０１（表示部１０９）への映像信号の出力元が記録再生装置１０２である場合には、表示装置１０１（表示装置１０９）における当該記録済み放送番組一覧表１３４が表示されている領域以外の領域には、記録再生装置１０２が受信した映像信号に基づく放送番組が表示される。また、表示装置１０１が記録済み放送番組一覧表の表示指示を受信したとき、映像信号の出力元を記録再生装置１０２から表示装置１０１のチューナー部１０５に自動的に切替え、表示装置１０１（表示装置１０９）における当該記録済み放送番組一覧表１３４が表示されている領域以外の領域には、表示装置１０１が受信した映像信号に基づく放送番組が表示される。
【００７７】
つまり、図４では、記録済み放送番組一覧表１３４を、表示装置１０１が受信している放送番組を表示している画面の一部において表示する。または、記録済み放送番組一覧表を、記録再生装置１０２が受信している放送番組を表示している画面の一部において、表示する。
【００７８】
なお、本実施の形態に係る放送番組視聴システムの構成は、実施の形態１に係る放送番組視聴システムの構成（図１参照）と同じである。
【００７９】
表示装置１０１において放送番組を視聴中に、視聴者がリモートコントローラ（表示装置制御手段）１１４を使用して記録再生装置１０２に蓄積された記録済み放送番組一覧表を要求したとする（つまり、リモートコントローラ１１４に第一の操作が施されたとする）。当該場合には、リモートコントローラ１１４から発信された記録済み放送番組一覧表の表示指示信号は、表示装置１０１、ＨＤＭＩケーブル１０３を介して、記録再生装置１０２へと送信される。
【００８０】
その後、本実施の形態では、記録再生装置１０２は、自機で作成した記録済み放送番組一覧表を読み出し、ＨＤＭＩケーブル１０３を通じて、当該読み出した記録済み放送番組一覧表を表示装置１０１に送信する。そして、表示装置１０１への映像信号の出力元が当該表示装置１０１のチューナー部１０５側である状態において、記録再生装置１０２から送信された記録済み放送番組一覧表を、表示装置１０１が受信している放送番組を表示している画面（現在視聴中の画面）の一部において表示する（図４参照）。または、本実施の形態では、表示装置１０１への映像信号の出力元が記録再生装置１０２側である状態には、表示装置１０１は、記録済み放送番組一覧表を、記録再生装置が受信している放送番組を表示している画面の一部において表示する（図４参照）。
【００８１】
または、表示装置１０１への映像信号の出力元が表示装置１０１のチューナー部１０５である状態において、表示装置１０１が、上記記録済み放送番組一覧表の表示指示信号を受信したとする。このとき、本実施の形態では、当該表示装置１０１は、記録済み放送番組一覧表の表示指示信号を受信する前に、表示装置１０１が表示している放送番組のチャンネルの情報を、ＨＤＭＩケーブル１０３等を経由して、記録再生装置に送信する。ここで、当該表示中の放送番組のチャンネルが「２」であるとする。すると、記録再生装置１０２は、送信されてきたチャンネル情報と同じチャンネルに、自機のチャンネルを切替える。上記例では、記録再生装置１０２のチャンネルを「２」チャンネルに設定・変更する。
【００８２】
記録再生装置１０２のチャンネルの切替え処理後、表示装置１０１は、表示装置１０１への映像信号の出力元を、表示装置１０１から記録再生装置１０２へと自動的に切替る。なお、記録再生装置１０２は、自機で作成した記録済み放送番組一覧表を読み出し、ＨＤＭＩケーブル１０３を通じて、当該読み出した記録済み放送番組一覧表を表示装置１０１に送信する。さらに、記録再生装置１０２は、上記設定されたチャンネルの映像信号をＨＤＭＩケーブル１０３を通じて、表示装置１０１に送信する。
【００８３】
結果、表示装置１０１では、当該受信した記録済み放送番組一覧表を、記録再生装置１０２が受信している放送番組（「２」チャンネル）を表示している画面の一部において表示する（図４参照）。
【００８４】
図５，６は、本発明の実施の形態における表示装置１０１と記録再生装置１０２の連携動作を示す概略フローチャートの例である。本フローチャートでは、表示装置１０１において当該表示装置１０１が受信している放送番組の視聴中画面に、記録再生装置１０２の記録済み放送番組一覧表を表示させるものである。なお、図中で左側は、表示装置１０１の動作を示し、右側は記録再生装置１０２の動作を示す。さらに、点線は、ＣＥＣライン１１７、ＨＤＭＩインターフェイス部１１６、ＨＤＭＩケーブル１０３、ＨＤＭＩインターフェイス部１３２、およびＣＥＣライン１３３を介して送受信される、ＣＥＣ通信を示している。
【００８５】
なお、図面の都合上、一連のフローを図５，６に分割している。ＳＴＥＰ３０１〜ＳＴＥＰ３０８およびＳＴＥＰ４０１〜ＳＴＥＰ４１０は、図５に示す。他方、ＳＴＥＰ３０９〜ＳＴＥＰ３１７およびＳＴＥＰ４１１〜ＳＴＥＰ４１７は、図６に示す。
【００８６】
まずユーザは、表示装置１０１を使用して、放送番組の視聴を開始する（ＳＴＥＰ３０１）。ここで、当該表示装置１０１において設定されているチャンネルの放送番組を、表示装置１０１は受信し、表示している。表示装置１０１は、視聴者がリモートコントローラ１１４に対して第一の処理を施したか否かを監視している（ＳＴＥＰ３０２）。ここで、第一の処理とは、記録済み放送番組一覧表の表示指示を行う処理である。
【００８７】
表示装置１０１は、ユーザが、リモートコントローラ１０４の当該第一の処理を施したと検知する（ＳＲＥＰ３０２で「ＹＥＳ」）。すると、表示装置１０１は、記録再生装置１０２に対して、ＣＥＣ通信で記録再送装置状態確認コマンドを送信する（ＳＴＥＰ３０３）。このとき、記録再生装置１０２には電源が投入されていない状態にあるものとする（ＳＴＥＰ４０１）。
【００８８】
記録再生装置１０２は、表示装置１０１から記録再生装置状態確認コマンドが送信されてきたかどうかを監視している（ＳＴＥＰ４０２）。記録再生装置１０２は、表示装置１０１からの記録再生装置状態確認コマンドを受信する（ＳＴＥＰ４０２で「ＹＥＳ」）。すると、記録再生装置が電源オフ状態であるかを確認する（ＳＴＥＰ４０３で「ＹＥＳ」）。電源オフ状態であることを確認すると、記録再生装置１０２は、表示装置１０１に対して、ＣＥＣ通信で記録再生装置の電源オフ応答コマンドを送信する（ＳＴＥＰ４０４）。
【００８９】
表示装置１０１は、記録再生装置１０２からの電源オフ応答が送信されてきたかどうかを監視している（ＳＴＥＰ３０４）。表示装置１０１が電源オフ応答コマンドを受信したした場合（ＳＴＥＰ３０４で「ＹＥＳ」）、表示装置１０１は、記録再生装置１０２に対して、ＣＥＣ通信で記録再生装置電源オンコマンドを送信する（ＳＴＥＰ３０５）。
【００９０】
記録再生装置１０２は、表示装置１０１からの電源オンコマンドが送信されてきたかどうかを監視している（ＳＴＥＰ４０５）。記録再生装置１０２が電源オンコマンドを受信した場合（ＳＴＥＰ４０５で「ＹＥＳ」）、自機において記録再生装置１０２の電源オン処理を行う（ＳＴＥＰ４０６）。そして、記録再生装置１０２は、電源がオンされた際に表示装置１０１に対して、ＣＥＣ通信で記録再生装置電源オン応答を送信する（ＳＴＥＰ４０７）。
【００９１】
表示装置１０１は、記録再生装置１０２からの電源オン応答が送信されてきたかどうかを監視している（ＳＴＥＰ３０６）。表示装置１０１が電源オン応答コマンドを受信した場合（ＳＴＥＰ３０６で「ＹＥＳ」）、表示装置１０１は、記録再生装置１０２に対して、ＣＥＣ通信で再生リスト（記録済み放送番組一覧表）コマンドを送信する（ＳＴＥＰ３０７）。
【００９２】
記録再生装置１０２は、表示装置１０１からの再生リストコマンドが送信されてきたかどうかを監視している（ＳＴＥＰ４０８）。記録再生装置１０２が再生リストコマンドを受信した場合（ＳＴＥＰ４０８で「ＹＥＳ」）、記録再生装置１０２内部で記録された放送番組一覧から記録の新しい順での再生リスト（記録済み放送番組一覧表）が送信可能かを、記録再生装置１０２は確認する（ＳＴＥＰ４０９）。そして、記録再生装置１０２が送信可能を確認した場合（ＳＴＥＰ４０９で「ＹＥＳ」）、記録再生装置１０２は、表示装置１０１に対して、ＣＥＣ通信で再生リスト情報送信コマンドを送信する（ＳＴＥＰ４１０）。
【００９３】
表示装置１０１は、記録再生装置１０２からの再生リスト情報送信コマンドが送信されてきたかどうかを監視している（ＳＴＥＰ３０８）。表示装置１０１が再生リスト情報送信コマンドを受信した場合（ＳＴＥＰ３０８で「ＹＥＳ」）、表示装置１０１の上記視聴画面上の一部に、記録再生装置１０２から送信された記録済み放送番組一覧表を表示する（ＳＴＥＰ３０９）。つまり、映像信号の送信元を自機（表示装置１０１）のままで、当該表示装置１０１が受信している放送番組を表示しながら、一部に記録済み放送番組一覧表を表示する。
【００９４】
表示装置１０１視聴画面上での記録済み放送番組一覧表表示状態（図４）で、ユーザは、表示装置１０１のリモートコントローラ１１４の上キー、または下キーを押下する。これにより、所望の記録済み放送番組を選択し、決定キー押下により再生を行う番組を特定する（所望の放送番組の再生指示のための第二の操作と把握できる）。表示装置１０１は、ユーザのリモートコントローラ１１４の当該第二の操作を監視していている（ＳＴＥＰ３１０）。そして、再生する放送番組が特定された場合（ＳＴＥＰ３１０で「ＹＥＳ」）、表示装置１０１は、記録再生装置１０２に対して、ＣＥＣ通信で特定された番組の再生コマンド（特定番組再生コマンド）を送信する（ＳＴＥＰ３１１）。
【００９５】
記録再生装置１０２は、表示装置１０１からの特定番組再生コマンドを受信したかどうかを監視している（ＳＴＥＰ４１１）。そして、記録再生装置１０２が特定番組再生コマンドを受信した場合（ＳＴＥＰ４１１で「ＹＥＳ」）、記録再生装置１０２に蓄積された記録済み放送番組一覧から、ユーザが特定した放送番組を選択する（ＳＴＥＰ４１２）そして、記録再生装置１０２は、表示装置１０１に対して、ＣＥＣ通信で特定番組の再生開始応答コマンドを送信する（ＳＴＥＰ４１２）。さらに、記録再生装置１０２は、ＳＴＥＰ４１２の特定番組の再生開始応答コマンドを送信した後、特定番組の再生を開始する（ＳＴＥＰ４１３）。
【００９６】
表示装置１０１は、記録再生装置１０２からの特定番組再生開始応答コマンドを受信したかを監視している（ＳＴＥＰ３１２）。表示装置１０１が特定番組再生開始応答コマンドを受信した場合、表示装置１０１での放送番組視聴状態から記録再生装置１０２の入力映像音声表示に切換する（ＳＴＥＰ３１３）。つまり、表示部１０９への映像信号の出力元を自機１０１のチューナー部１０５から記録再生装置１０２に自動的に切り替える。
【００９７】
表示装置１０１は、特定番組再生状態からリモートコントローラ１１４の停止キー押下により特定番組の再生を停止するかを監視している（ＳＴＥＰ３１４）。特定番組の再生停止操作が行われた場合（ＳＴＥＰ３１４で「ＹＥＳ」）、表示装置１０１は、記録再生装置１０２に対して、ＣＥＣ通信で特定番組再生停止コマンドを送信する（ＳＴＥＰ３１５）。
【００９８】
一方、記録再生装置１０２は、特定番組の再生が最後まで完了したかどうかを監視している（ＳＴＥＰ４１４）。また、表示装置１０１から特定番組再生停止コマンドを受信したかも監視している（ＳＴＥＰ４１５）。特定番組の再生が最後まで完了した場合（ＳＴＥＰ４１４で「ＹＥＳ」）、もしくは、特定番組の再生が最後まで完了していないが特定番組再生停止コマンドを受信した場合（ＳＴＥＰ４１５で「ＹＥＳ」）、記録再生装置１０２は特定番組の再生を停止する（ＳＴＥＰ４１６）。そして、記録再生装置１０２は、表示装置１０１に対して、ＣＥＣ通信で再生停止コマンドを送信する（ＳＴＥＰ４１７）。
【００９９】
表示装置１０１は、記録再生装置１０２からの再生停止コマンドを受信したかを監視している（ＳＴＥＰ３１６）。表示装置１０１が再生停止コマンドを受信した場合（ＳＴＥＰ３１６で「ＹＥＳ」）、自動的に表示装置１０１の入力状態を表示装置１０１の放送番組視聴画面に切換する（ＳＴＥＰ３１７）。つまり、表示部１０９への映像信号の出力元を表示装置１０１のチューナー部１０５に戻す。
【０１００】
上記では、記録再生装置１０２が電源オフ状態である場合に言及した。しかし、電源オン状態の場合でも、表示装置１０１からの電源オンコマンド送信等を省略することにより、図４のフローを適用できる。
【０１０１】
また、本実施の形態では、放送番組の再生処理の場合、記録再生装置１０２の記録済み放送番組一覧表から、表示装置１０１のリモートコントローラ１１４の特定キーを用いて、所望の記録済み放送番組を特定した。しかし、リモートコントローラ１１４の別キーを用いることにより、再生を希望する所望の記録済み放送番組を特定してもよい。
【０１０２】
従来では、ユーザが表示装置側から記録再生装置を制御して記録済み放送番組一覧表を表示する際に、現在視聴中の放送番組の表示を記録再生装置側に切り替えてしまうため、放送番組の視聴を一旦中段する必要がある。
【０１０３】
ところで、本実施の形態に係る発明では、表示装置１０１視聴中画面に記録再生装置１０２の再生リストを表示させる場合を示した。しかし、表示部１０９への映像信号の出力元を、表示装置１０１から記録再生装置１０２に自動切換えしても良い。
【０１０４】
この場合、記録再生装置１０２が受信している放送番組が表示部１０９に表示されると共に、その画面の一部に記録済み放送番組一覧表が表示される（図４）。また当該場合、上記のように、図４の表示を行う前に、記録再生装置１０２のチャンネルを表示装置１０１の視聴中のチャンネルに設定しても良い。これにより、記録再生装置１０２が受信している放送番組が表示部１０９に表示されると共に、その画面の一部に記録済み放送番組一覧表が表示される（図４）。このように、図４の表示に伴い（表示部１０９への映像信号の出力元の変更に共い）、チャンネルが変更されることを防止できる。つまり、視聴中の放送番組が変更されることを防止できる。
【０１０５】
つまり、ユーザが表示装置１０１における放送番組視聴中であっても、放送番組の視聴を中段させる事なく、放送番組を見ながら記録済み放送番組一覧表を表示させることが可能となる。また、記録再生装置１０２に搭載された放送受信手段による画面に切り替えて表示させる場合においては、表示装置１０１のＯＳＤに記録済み放送番組一覧表に必要なコードがあらかじめ入力されておらず、記録再生装置１０２との接続互換が完全でない場合においても、表示装置１０１のＯＳＤを用いた場合と同様の効果が得られる。
【０１０６】
＜実施の形態３＞
本実施の形態では、記録再生装置は、所定の条件に則した、記録済み放送番組一覧表を作成する。したがって、表示装置（表示部）では、当該所定の条件に則した、記録済み放送番組一覧表が表示される。
【０１０７】
本実施の形態に係る放送番組視聴システムの概略図を図７に示す。具体的に、図７の符号３０１には、記録再生装置３０１の構成要素のうち、記録済み放送番組一覧表作成に起因する構成要素のみを図示している。また、図８は、記録再生装置３０１内に配設されるＣＰＵ３１０内の構成等を示すブロック図である。具体的に、図８は、記録再生装置３０１におけるＥＰＧ（Ｅｌｅｃｔｒｏｎｉｃ  Ｐｒｏｇｒａｍ  Ｇｕｉｄｅ）情報取得機能とＥＰＧ情報の解析機能がソフトウェア的に示されている。本ＥＰＧ情報解析によるジャンルおよび、推奨番組等によるユーザ嗜好の録画履歴一覧の抽出結果に基づき、記録済み放送番組一覧表を、記録再生装置３０１が作成する。
【０１０８】
ここで、ユーザ嗜好の記録済み放送番組一覧表の作成方法を説明する。
【０１０９】
図８に示されるように、ＣＰＵ３１０が実行するソフトウェア構成には、ＥＰＧ部３２０と、エンコーダ／デコーダ制御部３２１と、システム制御部３２２と、録画予約部３２８と、表示系制御部３２３と、番組推奨部３２９とが含まれる。ＥＰＧ部３２０は、ＥＰＧ制御部３２４と、ＥＰＧデータ解析部３２５と、ＥＰＧデータバックアップ部３２６と、ＥＰＧデータベース３２７とから構成されている。
【０１１０】
また、図７において、リモートコントローラ３０３には、記録済み放送番組一覧表を１アクションで表示させるための専用ボタン３２８が搭載されている。
【０１１１】
エンコーダ／デコーダ制御部３２１は、ＭＰＥＧエンコーダ３０７及びＭＰＥＧデコーダ３１４の制御を行う。システム制御部３２２は、記録再生装置３０１に設けられた操作ボタン（図示せず）からの入力、リモートコントローラインターフェース１１６からの入力、及び記録再生装置３０１の状態を基にして、当該記録再生装置３０１の状態制御を行う。
【０１１２】
表示系制御部３２３は、記録再生装置３０１の状態に応じて、当該記録再生装置３０１に設けられた表示部（図示せず）における表示、及びＯＳＤ（Ｏｎ  Ｓｃｒｅｅｎ  Ｄｉｓｐｌａｙ）３１８を経由して外部の表示装置３０４における表示を制御する。録画予約部３２８は、ユーザが設定した録画予約処理を行い、予約が設定されたときに既に予約されている情報と重複が生じてないかチェックを行い、予約内容を不揮発性メモリ３１９に記録する。
【０１１３】
また、過去に録画した放送番組に関する番組情報である録画履歴情報（例えば、放送開始時刻、記録済み放送番組のジャンル、記録済み放送番組の時刻情報、記録済み放送番組のタイトル等）についても不揮発性メモリ３１９に記録する。つまり、ＥＰＧデータ解析部３２５は、放送番組のＥＰＧデータから上記録画履歴情報を取得し、記録済み放送番組に関するジャンル情報、タイトル、時間情報等を含む、複数の放送番組情報（記録済み放送番組に関する当該放送番組情報は、特に録画履歴情報と称する）を不揮発性メモリ３１９に記憶する。また、当該不揮発性メモリ３１９には、記録済み放送番組に関する、録画の時間情報を含む録画履歴情報も格納されている。
【０１１４】
ＥＰＧ制御部３２４は、ＥＰＧの取得やＥＰＧデータの表示等のように、ＥＰＧの状態に応じて、ＥＰＧデータ解析部３２５、ＥＰＧデータバッファ部３２６、及びＥＰＧデータベース３２７の制御を行う。
【０１１５】
ＥＰＧデータ解析部３２５は、スライサー３０９により抽出されたＥＰＧデータの解析処理を行う。番組推奨部３２９は、過去に録画された番組を統計処理し、その結果を用いて、放送予定番組に関する情報を含むＥＰＧデータから、例えば推奨する番組を決定する。記録再生装置３０１は、所定数の記録済み放送番組のジャンル情報および時間情報を用いて、ジャンル別および時間別の統計処理を行う。そして、記録再生装置３０１は、統計処理の結果と予め設定されているポイントテーブルとに基づいて、所定数の記録済み放送番組の各々に、ポイントを決定する。そして、記録再生装置３０１は、決定されたポイントに基づいて、記録済み放送番組一覧表における、タイトルの表示位置を決定する。番組推奨部３２９（記録再生装置３０１）の詳細な動作については後述する。
【０１１６】
ＥＰＧデータ解析部３２５は、ＶＢＩ（Ｖｅｒｔｉｃａｌ  Ｂｌａｎｋｉｎｇ  Ｉｎｔｅｒｖａｌ）内に、パケット化されて伝送されるＥＰＧデータをパケット単位に分割する。そして、パケットの種類ごとに分類を行うパケット解析、暗号化されて送られてくるＥＰＧデータの暗号を解く暗号解読、送信データ容量を抑制するように圧縮されたＥＰＧデータを伸張する伸張処理を行う。これにより、ＥＰＧデータ解析部３２５は、放送番組のＥＰＧデータから、ジャンル情報等を含む放送番組に関する詳細情報を取得することができる。
【０１１７】
ＥＰＧデータバックアップ部３２６は、ＥＰＧデータ解析部３２５で解析されたデータを揮発性メモリ３１３に書き出す。さらに、記録再生装置３０１の電源が落とされ再度電源が投入されたときに、ＥＰＧデータを再取得することなく番組表を表示できるように、ＥＰＧデータを不揮発性メモリ３１９へバックアップする。
【０１１８】
ＥＰＧデータベース３２７は、ＥＰＧデータ解析部３２５で解析されたＥＰＧデータに収められている各種・複数の放送番組情報（例えば、番組の開始時刻、終了時刻、放送時間長、チャンネル、タイトル、詳細情報、番組の属するジャンル）を整理する。さらに、ＥＰＧを利用する上位モジュールである録画予約部３２８、システム制御部３２２、及び表示系制御部３２３に対しＥＰＧデータを参照及び利用するための各種ＡＰＩ（Ａｐｐｌｉｃａｔｉｏｎ Ｐｒｏｇｒａｍｍｉｎｇ Ｉｎｔｅｒｆａｃｅ）を提供する。
【０１１９】
次に、所定の条件に基づいて編集作成された、記録済み放送番組一覧表からの再生動作について説明する。
【０１２０】
ユーザは、図７に図示した何れかのリモートコントローラ３０３（又は、両装置３０１，３０４に配設されている図示しない本体の操作部）の操作を行い、ＨＤＤ３１２に記録されている記録済み放送番組一覧表を、表示装置３０４に表示させる。ユーザは、表示された記録済み放送番組一覧表から希望する放送番組を選択し、再生の指示を送る。これらの処理は、例えば、リモートコントローラ３０３から送信される赤外線又は電波信号をリモートコントローラインターフェース３１６が受信し、ＣＰＵ３１０へその命令内容を送ることによって実行される。
【０１２１】
ＣＰＵ３１０は、再生を要求された放送番組をＨＤＤコントローラ３１１経由でＨＤＤ３１２から読み出し、読み出し用バッファ３１５にビットストリームを蓄える。ＭＰＥＧデコーダ３１４は、読み出し用バッファ３１５に蓄えられたビットストリームを読み出し、ＭＰＥＧの復号処理を行う。復号処理されたデジタル映像信号は、ＯＳＤ３１８でその他の文字表示等と合成される。さらに、Ｄ／Ａ変換器３１７でデジタル映像信号がアナログ映像信号に変換される。そして、外部の表示装置３０４に出力され、表示装置３０４に映像が表示される。
【０１２２】
次に、記録再生装置３０１によるＥＰＧ情報の取得方法について説明する。ここでは、放送波の特定チャンネルのＶＢＩにＥＰＧのデータが重畳されて送られてくる場合について説明する。
【０１２３】
テレビチューナー３０５が１つのみしか搭載されていない記録再生装置３０１においては、放送されている番組の録画及び視聴が行われているときはテレビチューナー３０５が使用されており、ＥＰＧが重畳されているチャンネルを受信できないことがある。そのため、記録再生装置３０１の電源が見かけ上落とされているような、例えば、スタンバイ状態のときに、ＥＰＧデータを受信する。なお、ＥＰＧ受信専用に別途テレビチューナー３０５を設けたり、複数のテレビチューナー３０５を適時切り替えたりする方法が採用されている場合は、記録再生装置３０１に電源が入った状態や動作時においても、ＥＰＧデータの受信が可能になる。
【０１２４】
ここで、本実施の形態に係る記録再生装置３０１は、テレビチューナー３０５を１つのみ搭載しているので、スタンバイ状態でＥＰＧデータを受信する。今、記録再生装置３０１がスタンバイ状態であり、かつＥＰＧが放送されている時間になったとする。ＥＰＧが重畳された放送波はアンテナ３０２で受信される。テレビチューナー３０５によってＥＰＧが重畳されたチャンネルに同調され、スライサー３０９が映像信号のＶＢＩに重畳されたＥＰＧデータを抜き出す処理を行う。
【０１２５】
本実施の形態では、ＥＰＧデータは、データを細やかなパケットに分割して送信するものであり、また、各パケットにはパケットに入っている情報の種類を示すパケットＩＤが付されている。また、パケットに入っている情報は、必要に応じて暗号化処理が施されており、容易に内容を閲覧したり、改ざんしたりできないようにしてもよい。さらには、各パケットは、データサイズを圧縮するために圧縮処理も行われている。
【０１２６】
ＥＰＧデータ解析部３２０においては、上記処理が行われたＥＰＧデータに対して、パケットの種類ごとにパケットのデータを分類するパケット解析、暗号化されているＥＰＧデータに対して解読を行う暗号解読処理、また、圧縮されたＥＰＧデータに対して伸張し、もとのＥＰＧデータに戻す伸張処理を適時行う。
【０１２７】
以上の処理がＥＰＧデータに対してＥＰＧデータ解析部３２０で行われ、ＥＰＧデータ解析部３２０で取得された各種・複数の放送番組情報は、揮発性メモリ３１３に記録される。
【０１２８】
揮発性メモリ３１３に記録された当該各種・複数の放送番組情報は、記録再生装置３０１の電源が切られると消去される。したがって、次回の電源起動後には、揮発性メモリ３１３に記録していたＥＰＧデータを利用できない。このため、揮発性メモリ３１３に記録された各種・複数の放送番組情報は、例えば、ＨＤＤ３１２又は不揮発性メモリ３１９にバックアップのための記録が行われる。したがって、ＨＤＤ３１２および不揮発性メモリ３１９は、放送番組のＥＰＧデータから取得した各種・複数の放送番組情報（又は、録画履歴情報）を格納する記憶部と把握できる。
【０１２９】
当該バックアップは、ＥＰＧデータを取得し、データ解析が終了した後に行う。一方、バックアップしたＥＰＧデータは、次回の電源起動時に揮発性メモリ３１３に書き戻すリストア処理が行われる。これらＥＰＧデータのバックアップとリストア処理を行うのが、ＥＰＧデータバックアップ部３２６である。
【０１３０】
ＥＰＧデータバックアップ部３２６は、ＨＤＤ３１２又は不揮発性メモリ３１９にＥＰＧデータをバックアップする際に、ＥＰＧデータのデータサイズを抑制するための圧縮処理やデータの秘匿性を高めるための暗号化処理を行う。また、ＥＰＧデータバックアップ部３２６は、ＨＤＤ３１２又は不揮発性メモリ３１９から揮発性メモリ３１３へＥＰＧデータを戻すリストア処理として、圧縮されたＥＰＧデータの伸張処理や、暗号化されたＥＰＧデータの復号化を行う。揮発性メモリ３１３に記録されたＥＰＧデータは、ＥＰＧデータベース３２７によって、さらに利用しやすいデータ形式に展開処理が行われる。
【０１３１】
また、ＥＰＧデータベース３２７は、展開したＥＰＧデータを、上位モジュールである録画予約部３２８、システム制御部３２２、表示系制御部３２３、番組推奨部３２９に対して、ＡＰＩによってデータ内容を提供する。このＡＰＩにはデータベースの構築ＡＰＩが含まれ、この構築ＡＰＩをコールすることによってＥＰＧデータベース３２７はＥＰＧデータを揮発性メモリ３１３上に展開する。
【０１３２】
次に、記録再生装置３０１で利用する録画履歴情報について説明する。なお、上記の通り、放送番組のＥＰＧデータから各種・複数の放送番組情報（記録済み放送番組のジャンル、記録済み放送番組の時刻情報、記録済み放送番組のタイトル等）が取得される。そして、これらの各種・複数の放送番組情報は、ＨＤＤ３１２等の記録部に記録される。これらの各種・複数の放送番組情報において、特に録画済み（または録画中）放送番組に関するものを、録画履歴情報と称する。
【０１３３】
記録再生装置３０１においては、過去の録画履歴情報をユーザの嗜好を示すデータとして番組の推奨に利用する。録画履歴情報は、過去に録画した番組のタイトル、チャンネル、及び録画（放送）開始時刻、並びに、現在録画している番組の放送開始時刻及び終了時刻、ジャンル、出演者、エンコードパラメータ等の情報を含む。これらの録画履歴情報は、ＥＰＧデータ解析部３２０等により、記録済み放送番組に係るＥＰＧデータから取得できる。
【０１３４】
所定の放送番組の録画が開始されると、当該所定の放送番組に関する録画履歴情報は、不揮発性メモリ３１９に記録される。録画履歴情報に含まれる番組数は、装置が行うデータ処理の都合上、有限とされており、例えば、最新の内容から順に所定個数（例えば、１０００個）分保持されているものとする。所定個数を超えた分についての録画番組情報は、古いものから順次削除される。また、録画履歴情報の個数を、録画日時（例えば、１年間）等の他の条件によって制限してもよい。
【０１３５】
図９は、本実施の形態に係る記録再生装置３０１の動作（記録済み放送番組一覧表）を示すフローチャートである。本実施の形態においては、記録済み放送番組一覧表の編集・作成処理は、ＨＤＤ３１２にインストールされているソフトウェアに従って、ＣＰＵ３１０が実行する。
【０１３６】
図９において、記録済み放送番組一覧表の編集・作成は、例えば、ＥＰＧの受信及び解析処理後に開始される（ＳＴＥＰ７０１）。記録済み放送番組一覧表の編集・作成においては、最初にユーザの嗜好データである録画履歴情報（記録済み放送番組に関する複数の放送番組情報）の統計処理を行う。具体的に、所定数の記録済み放送番組のジャンル情報および前記時間情報を用いて、ジャンル別および時間別の統計処理を行い、統計処理の結果と予め設定されているポイントテーブルとに基づいて、所定数の記録済み放送番組の各々に、ポイントが付与される。そして、付与されたポイントに基づいて、記録済み放送番組一覧表における、タイトルの表示位置を決定する（当該統計処理、ポイント付与および記録済み放送番組一覧表作成の内容は、以下の図９のフロー説明により、より明白となる）。
【０１３７】
そのために、不揮発性メモリ３１９内に録画履歴情報が存在するか否かをチェックする（ＳＴＥＰ７０２）。録画履歴情報が無ければエラー内容を表示して（ＳＴＥＰ７１９）、記録済み放送番組一覧表の決定処理を終了する（ＳＴＥＰ７２０）。
【０１３８】
ＳＴＥＰ７０２において録画履歴情報が存在すれば、録画履歴情報から１番組分の録画履歴情報を抽出し（ＳＴＥＰ７０３）、抽出した放送番組のジャンル解析（ＳＴＥＰ７０４）及び放送開始時間帯解析を実行する（ＳＴＥＰ７０５）。ＳＴＥＰ７０４、ＳＴＥＰ７０５の解析においては、一致した放送開始時間帯及びジャンルについてのカウントを１増加させる。
【０１３９】
なお、本実施の形態においては、放送開始時間帯が、「早朝」、「朝」、「昼」、「夕方」、「夜」、及び「深夜」の６種類からなる場合を説明する。ここで、「早朝」は５：００以降８：００より前（時刻を「時：分」で表記する。以下同様に表示する。）、「朝」は８：００以降１２：００より前、「昼」は１２：００以降１６：００より前、「夕方」は１６：００以降１９：００より前、「夜」は１９：００以降２３：００より前、「深夜」は２３：００以降５：００より前とする。
【０１４０】
ある番組の放送開始時刻が２０：００であり、ジャンルが「音楽」であれば、放送開始時間帯「夜」のポイント（カウント）を１つ上げ、また、ジャンル「音楽」のポイントを１つ上げる動作を行う。この処理を、録画履歴情報として記録されている番組のすべてに対して行う（ＳＴＥＰ７０３〜７０５）。ただし、解析処理を、録画履歴情報として記録されている番組の予め決められた範囲（期間）等に対して行うように設定することもできる。
【０１４１】
記録済み放送番組の全てについて、上記統計処理結果に基づいたポイント付加処理を行う。そして、当該ポイント付加処理が終了すれば、放送開始時間帯及びジャンル等についての順位付けを行う（ＳＴＥＰ７０６）。例えば、ユーザが過去に録画した放送番組が、図１０に示されるもの（録画履歴番号１〜４０の４０番組）であったとする。当該図１０に示す各記録済み放送番組に対して上記ポイント付加処理を行い、順位判定を行う。すると、図１１に示される順位判定結果が得られる。
【０１４２】
また、図１１に示されるように、ジャンルについては、図１０の４０番組中の１４番組の「ドラマ」が第１位、９番組の「バラエティ」が第２位、８番組の「音楽」が第３位、５番組の「映画」の第４位、４番組の「アニメ」が第５位となる。また、図１２に示されるように、放送開始時間帯については、図１０の４０番組中の１５番組の「夜」が第１位、１３番組の「深夜」が第２位、５番組の「夕方」が第３位、４番組の「昼」が第４位、３番組の「朝」が第５位となる。
【０１４３】
ここまでが、所定数の記録済み放送番組のジャンル情報および時間情報を用いた、ジャンル別および時間別の統計処理である。
【０１４４】
次に、順位付けされた各評価項目（ここでは、ジャンルと放送開始時間帯）の構成要素に対して、例えば、図１３に示される、予め設定しておいたポイントテーブルを用いてポイントを割り当てる。図１３において、予め設定しておいた評価項目であるジャンルについては、第１位に５０点、第２位に４０点、第３位に３０点、第４位に２０点、第５位に１０点を割り当てている。また、図１３に示されるように、予め設定しておいた評価項目である放送開始時間帯については、第１位に２５点、第２位に２０点、第３位に１５点、第４位に１０点、第５位に５点を割り当てている。
【０１４５】
図１２に示される評価項目（ジャンルと放送開始時間帯）の構成要素の順位と、図１３に示される評価項目（ジャンルと放送開始時間帯）の構成要素の順位に付けられたポイントテーブルとから、図１４に示されるような評価項目の構成要素ごとにポイントを付したマッピングされたポイント付与表を得ることができる（ＳＴＥＰ７０７）。
【０１４６】
つまり、統計処理の結果と予め設定されているポイントテーブル（図１３）とに基づいて、所定数の記録済み放送番組の各々に、ポイントが決定する。
【０１４７】
なお、本実施の形態では、番組を推奨するにあたって、ユーザの嗜好は、放送開始時間帯よりジャンルに影響をより強く受けるものとして、ポイント配分及び順位差によるポイントの差を大きくしている。また、本実施の形態では、放送時間情報として、放送開始時間情報を用いているが、放送終了時間情報や、放送時間の中間の時点の時間情報等の他の情報を採用してもよい。
【０１４８】
次に、録画履歴情報に含まれる番組がジャンル別（より厳密に言えば、ジャンルの構成要素ごと）にどのような分布を示しているか解析するジャンル別割当解析を実行する（ＳＴＥＰ７０８）。録画履歴情報が図１０に示されるものである場合には、「ドラマ」が１４番組、「バラエティ」が９番組、「音楽」が８番組、「映画」が５番組、「アニメ」が４番組録画されている。録画履歴番組の合計が４０番組なので、図１４に示されるように、ジャンルの各構成要素について、「ドラマ」が３５％（＝１４÷４０）、「バラエティ」が２２．５％（＝９÷４０）、「音楽」が２０％（＝８÷４０）、「映画」が１２．５％（＝５÷４０）、「アニメ」が１０％（＝４÷４０）の割合が算出される。
【０１４９】
また、記録再生装置３０１が推奨する番組数を１０番組に設定すると（例えば、ユーザ設定による）、上記割合に推奨する番組数である１０番組を乗じ、小数点以下を切り捨てると、ジャンルの各構成要素に対する割当番組数が決まる。図１０の例では、「ドラマ」が３番組（＝Ｉｎｔ（０．３５×１０））、「バラエティ」が２番組（＝Ｉｎｔ（０．２２５×１０））、「音楽」が２番組（＝Ｉｎｔ（０．２×１０））、「映画」が１番組（＝Ｉｎｔ（０．１２５×１０））、「アニメ」が１番組（＝Ｉｎｔ（０．１×１０））のように決定される。
【０１５０】
すなわち、記録履歴情報に含まれる番組の総番組数をＮａとし、ジャンルの構成要素ごとの番組数をＮｍ（ｍ＝１，２，…）とし、記録済み放送番組一覧表数をＮｒとしたときに、（Ｎｍ／Ｎａ）×Ｎｒの小数点以下を切り捨てた整数値を、ジャンルの各構成要素に対する割当番組数として用いる。なお、ここでは録画履歴情報におけるジャンルの各構成要素の割合から推奨する番組のジャンルの各構成要素別の割当番組数を求めるときに、推奨する番組数の合計が１０番組を超えないように小数点以下の切り捨てを行い、推奨する番組を９番組選出した。推奨すべき番組数として設定した値は１０番組であるので、残り１番組については、「ドラマ」、「バラエティ」、「音楽」、「映画」、「アニメ」のジャンル構成要素以外から選出する方法、予め設定されたジャンルの構成要素から番組を選出する方法、又は、残り１番組を選出しない方法などを選択することができる。
【０１５１】
次に、ＥＰＧ情報から推奨する番組の抽出を開始する。まず、記録再生装置３０１に放送予定番組のＥＰＧ情報が存在することを確認し（ＳＴＥＰ７０９）、ＥＰＧ情報が無ければエラー表示して（ＳＴＥＰ７１９）、記録済み放送番組一覧表の決定処理を終了する（ＳＴＥＰ７２０）。ＳＴＥＰ７０９において、ＥＰＧ情報が存在すれば、ＥＰＧ情報から番組を１つ抽出する（ＳＴＥＰ７１０）。
【０１５２】
次に、上記図１０〜１４を用いて説明した方法により、抽出した番組の評価を行う。番組の評価にはＳＴＥＰ７０７で求めた図１３に示されるポイントテーブルを用いる。抽出した番組について、まずジャンルの評価を行い、図１１のポイントテーブルに一致するジャンルが存在すれば、抽出した番組のポイントとして、一致したジャンルのポイントが加算される（ＳＴＥＰ７１１）。さらに、抽出した番組について、放送開始時間帯についても評価を行い、図１３のポイントテーブルに一致する時間帯が存在すれば、抽出した番組のポイントとして、一致した時間帯のポイントが加算される（ＳＴＥＰ７１２）。これらのポイントの合計値が、抽出した番組の総ポイントとなる。
【０１５３】
図９におけるＳＴＥＰ７１０からＳＴＥＰ７１２までの工程を所定数のＥＰＧデータのすべての番組について実行する（所定数の記録済み放送番組において、各記録済み放送番組に関する放送番組情報を用いた統計処理）。そして、終了すれば、獲得したポイントが上位の番組を所定の数だけ抽出するポイント上位番組抽出処理を実行する（ＳＴＥＰ７１３）。
【０１５４】
上記の通り、統計処理の結果と予め設定されているポイントテーブル（図１３）とに基づいた、所定数の記録済み放送番組の各々にポイントを付与する処理である。
【０１５５】
次に、抽出した上位番組に対して、ジャンルの構成要素毎に割当てられた割当番組数を越えた番組が存在する場合、割当番組数を超えたジャンルの構成要素の下位の抽出番組を記録済み放送番組一覧表候補から削除するジャンル別割当番組数制限処理を行う（ＳＴＥＰ７１４）。例えば、ジャンル別割当解析（ＳＴＥＰ７０８）で説明すると、ジャンルの構成要素「ドラマ」については３番組を越えないように、「バラエティ」については２番組を越えないように、「音楽」については２番組を越えないように、「映画」については１番組を越えないように、「アニメ」については１番組を越えないように、記録済み放送番組一覧表の数をジャンルの構成要素毎に制限する処理を行う。
【０１５６】
上記ジャンル別割当番組数制限処理（ＳＴＥＰ７１４）によって選出する番組数が削減され、それによって記録済み放送番組一覧表数として規定していた番組数、ここでは１０番組より不足する場合（ＳＴＥＰ７１５）は、再度ポイント上位番組抽出処理（ＳＴＥＰ７１３）に戻り、目的とする記録済み放送番組一覧表数から不足する数の番組を追加する。
【０１５７】
以上のＳＴＥＰ７１３からＳＴＥＰ７１５までの処理を繰り返し、抽出した番組を不揮発性メモリ３１９に記録済み放送番組一覧表として保存し（ＳＴＥＰ７１８）、記録済み放送番組一覧表の決定処理を終了する（ＳＴＥＰ７２０）。すなわち、上記決定（付与）されたポイントに基づいて、各録画済み番組放送のタイトル表示位置が決定された、記録済み放送番組一覧表を作成する。
【０１５８】
なお、ＨＤＭＩケーブル等により表示装置とリンク接続した場合の、上記記録再生装置３０１の動作について、図１５，１６，１７を用いて説明する。ここで、図面の都合上、一連のフローを図１５〜１７に分割している。ＳＴＥＰ５０１〜ＳＴＥＰ５０７およびＳＴＥＰ６０１〜ＳＴＥＰ６０８は、図１５に示す。ＳＴＥＰ５０８〜ＳＴＥＰ５１５およびＳＴＥＰ６０９〜ＳＴＥＰ６１３は、図１６に示す。さらに、ＳＴＥＰ５１６〜ＳＴＥＰ５２２およびＳＴＥＰ６１４〜ＳＴＥＰ６２０は、図１７に示す。
【０１５９】
図１５〜１７のフローにおいて、左側が表示装置、右側が記録再生装置の動作フローを示す。ここで両方のフローは点線のコマンド授受によってシステムとして連携動作するように構成されている。また、記録再生装置の電源が当初ＯＦＦの状態であるが、再生リストコマンドキー押下（ＳＴＥＰ５０２）により表示装置側からのコマンド指示によって電源がＯＮされる点については実施の形態１および２の説明と同じである。
【０１６０】
実施の形態１および２で説明したように、記録再生装置３０１で作成された記録済み放送番組一覧表を一旦表示装置３０４に表示する。その後、ユーザから、よりユーザ嗜好に記録済み放送番組一覧表を編集・作成（ＳＴＥＰ５１１）することができる記録再生装置３０１に、ジャンル/ユーザ別表示コマンドが送信（ＳＴＥＰ５１２)される。これは、ユーザ嗜好の記録済み放送番組一覧表の再表示操作である第一の操作が、たとえば表示装置３０４側のリモートコントローラ３０３に施されたと把握できる。
【０１６１】
ＳＴＥＰ５１２で送信されるコマンドには、１：現在視聴中のＣＨ情報、２：ユーザ識別情報、３：再生リストの種類（3-1：視聴中番組と同ジャンル、3-2：録画履歴の新しい順、3-3：記録済み放送番組一覧表Ｐｏｉｎｔの高い順、3-4：過去の再生回数の多い順、（3-1は3-2、3-3、3-4との組合せも可））の情報も含まれる。これにより、当該コマンドを受信した記録再生装置３０１は、図９から図１４にて示した記録再生装置３０１の動作に従い、ユーザ嗜好の記録済み放送番組一覧表を編集・作成する。そして、記録再生装置３０１は、当該ユーザ嗜好の記録済み放送番組一覧表を表示装置３０４に送信し、表示装置３０４では、ユーザ嗜好の記録済み放送番組一覧表を再表示（ＳＴＥＰ５１４）する。
【０１６２】
なお、当該ユーザ嗜好の記録済み放送番組一覧表を表示装置３０４に表示する際、ＯＳＤ画面にて、当該ユーザ嗜好の記録済み放送番組一覧表を表示しても良い。
【０１６３】
なお、上記では、ユーザ嗜好の記録済み放送番組一覧表を編集・作成する方法として、図１０〜１４を用いて説明した統計処理に基づいた方法を採用した。しかしながら、次の方法により、ユーザ嗜好の記録済み放送番組一覧表を作成することもできる。すなわち、ユーザ嗜好の記録済み放送番組一覧表の表示を要求する操作が、表示装置３０４側のリモートコントローラ３０３に施されたとする（第一の操作が施されたとする）。すると、当該第一の操作時において、表示装置３０４にて表示されている放送番組のチャンネル情報を、ＨＤＭＩケーブル等の通信手段を経由して記録再生装置３０１に送信する。
【０１６４】
すると、記録再生装置３０１は、受信した前記チャンネル情報に関するジャンル情報を取得する。具体的に、記録再生装置３０１は、ＥＰＧ解析部３２５を用いて、受信したチャンネル情報にて特定されるチャンネルにより表示される放送番組のジャンル情報を取得する。さらに、記録再生装置３０１は、当該取得したジャンル情報と同じジャンル情報である、記録済み放送番組のタイトル名を、記憶部３１２等から抽出する。そして、記録再生装置３０１は、当該抽出したタイトル名のみが表示されるように、当該タイトル名を用いて、ユーザ嗜好の記録済み放送番組一覧表を作成する。
【０１６５】
つまり、過去に録画した放送番組のうち、第一の操作時に表示装置３０４に表示されている放送番組のジャンルと同じジャンルの放送番組をピックアップする。そして、当該ピックアップした放送番組に基づいて、ユーザ嗜好の記録済み放送番組一覧表を編集・作成する。なお、現在テレビで視聴中の放送番組と同じジャンルの過去の記録済み放送番組を、視聴履歴の新しい順番に表示させても良い。ユーザがサッカー等の番組を視聴中のケースでは、過去の録画履歴の中からサッカーに関する記録済み放送番組一覧表が視聴履歴の新しい順に、表示装置３０４においてＯＳＤ表示で表示される。
【０１６６】
なお、表示された記録済み放送番組一覧表の中から所定の放送番組を選択する。これにより、当該所定の放送番組の再生を記録再生装置３０１に指示することができる。また、当然録画再生終了時点においては、元のテレビ番組のチャンネル視聴状態（上記ではサッカー）に自動復帰(ＳＴＥＰ５２２)するものである。
【０１６７】
なお、同一ジャンルに限らず、次の方法によりユーザ嗜好の記録済み放送番組一覧表を編集・作成してもよい。すなわち、記録再生装置は、ＨＤＤ３１２などの記憶部から録画履歴情報を抽出する。そして、当該録画時間情報に基づいて録画済み番組放送名の表示位置が決定された、記録済み放送番組一覧表を作成する。つまり、記録再生装置３０１は、ＨＤＤ３１２から記録済み放送番組のタイトル名と当該記録済み放送番組の時間情報とを抽出する。そして、記録再生装置３０１は、当該抽出した時間情報に基づいて、記録済み放送番組一覧表における、各タイトル名の表示位置を決定する。具体的に、記録日時が新しい記録済み放送番組のタイトル名ほど、当該一覧表の先頭に位置させる。
【０１６８】
なお、図１０〜１４に基づく方法により作成され、かつ、ジャンル情報および次感受応報をも考慮して作成された記録済み放送番組一覧表の一例を、図１８に示す。
【０１６９】
なお、元々ＥＰＧデータには番組名の情報以外に、出演者、ストーリのあらまし等の詳細情報が付随されている事が多い。そこで、次に示すように、記録済み放送番組一覧表から、一の放送番組（所定の記録済み放送番組）を選択し、当該所定の記録済み放送番組の詳細情報を、表示装置３０４に表示させても良い（図１９，２０，２１）。
【０１７０】
記録再生装置３０１のＥＰＧ解析部３２５は、放送番組のＥＰＧデータから放送番組に関する詳細情報を取得することができる。そして、ＨＤＤ３１２等の詳細情報記録部では、各放送番組に対応して、当該取得した詳細情報を記録することができる。記録済み放送番組一覧表に列記されている、所定の記録済み放送番組の詳細情報の表示を求める第二の操作が施された、表示装置３０４側のリモートコントローラ３０３は、詳細情報要求信号を発信する。当該詳細情報要求信号を受信した表示装置３０４は、ＨＤＭＩケーブル等の通信手段を通じ、当該詳細情報要求信号を記録再生装置３０１に送信する(図２０のＳＴＥＰ５２４)。
【０１７１】
上記詳細情報要求信号を受信した記録再生装置３０１は、受信した詳細情報要求信号に応じて、所定の記録済み放送番組に関する詳細情報を、上記詳細情報記録部から抽出する。その後、記録再生装置は、当該抽出した所定の記録済み放送番組に関する詳細情報を、通信手段を経由して表示装置３０４に送信する（図２０のＳＴＥＰ６２２）。
【０１７２】
その後、詳細情報を受信した表示装置３０４は、所定の記録済み放送番組に関する詳細情報を表示する(ＳＴＥＰ５２５)。例えばユーザは、当該表示された詳細情報を確認した後、視聴したい場合はそのまま視聴する(ＳＴＥＰ５２７)ことができる。なお、図１９〜２１の詳細情報の表示指示から詳細情報表示までの工程以外の工程は、図１５〜１７の場合と同じである。
【０１７３】
なお、上記図１５〜１７および図１９〜２１の例では、ＨＤＭＩ等によりリンク接続されたデータ情報によって、（ユーザ嗜好の）記録済み放送番組一覧表あるいは番組の詳細情報を、記録再生装置３０１から表示装置３０４に送信する。そして、表示装置３０４は、記録再生装置３０１から送信されたコンテンツを、ＯＳＤによって現在視聴中の放送番組における画面上の一部領域に重ねて表示させる。
【０１７４】
また、本実施の形態では、表示装置３０４側のＯＳＤを用いて、上記録画番組リストをＯＳＤ表示させた。しかし、記録再生装置３０１側のＥＥ画面を表示し、記録再生装置側のＯＳＤにより上記記録済み放送番組一覧表や詳細情報を表示させても良い。特に、記録再生装置３０１から表示装置３０４へのデータ情報送付がメーカ違いや、新旧の機種が異なる事によって、データ互換性が無い場合も多い。その場合は、現在視聴中のチャンネル情報や、ユーザが特定される場合の使用ユーザの情報、上記記録済み放送番組一覧表や詳細情報の表示指示は、記録再生装置３０１に送信し、記録再生装置３０１側は搭載された放送受信部（テレビチューナー）３０５のチャンネルを、表示装置３０４における視聴中のチャンネルにあわせる。さらに、記録再生装置３０１に搭載されたＯＳＤを用いて、上記記録済み放送番組一覧表や詳細情報の表示を行うとともに、表示装置３０４の表示入力切替画面を記録再生装置３０１側に切換える。これにより、表示装置３０４側のＯＳＤを用いた場合と同様の効果を得る事ができる。
【０１７５】
ただし、この場合は、表示切換時にタイムラグが発生する。このため、記録再生装置３０１のＯＳＤ表示が完了した後、表示装置３０４側は、記録再生装置３０１からの表示完了もしくはスタンバイ完了情報を受け、表示装置３０４の表示切換を行う事が望ましい。また、上記記録済み放送番組一覧表や詳細情報の表示や、これら表示に基づく録画した番組の再生が完了した際には、表示装置３０４の設定を元の状態に戻す事で、ユーザの煩雑な動作を省略させる事ができることは言うまでも無い。
【０１７６】
ユーザは、表示装置３０４で記録済み放送番組一覧表の一覧を見て、記録済み放送番組一覧表を知ることができる。また、ユーザは、表示装置３０４で記録済み放送番組一覧表の一覧を見ながら、記録済み放送番組一覧表の一覧上にハイライトを移動させる等の操作を行い、決定ボタンを押す等の操作によって、録画予約や視聴予約ができるように装置を構成することもできる。さらに、記録再生装置３０４は、ユーザの嗜好、ジャンル情報、放送番組の記録日時等に基づいて、記録済み放送番組一覧表を編集・再作成することもできる。
【０１７７】
従来では、ユーザが表示装置側から記録再生装置を制御して記録済み放送番組一覧を表示する際に、現在視聴中の放送番組に関連した記録済み放送番組一覧や、ユーザの嗜好に合わせた記録済み放送番組一覧を表示させる事ができなかった。
【０１７８】
しかし、本実施の形態では、記録済み放送番組一覧において、ユーザが最近の録画履歴から選択したい場合は録画が新しい順番になる記録済み放送番組一覧により選択する事ができる他、現在視聴中の番組と同一ジャンルにおける記録済み放送番組一覧を選択したい場合は視聴中の番組と同一ジャンルの一覧から選択でき、特段に一覧表示方法に関する要求がない場合記録再生装置が自動的に算出したユーザの嗜好ポイントの高い順による記録済み放送番組一覧から選択できるような効果が得られる。
【０１７９】
また、従来では、表示装置からの操作において、ユーザが記録済み放送番組一覧における放送番組の詳細情報を見ることができなかった。
【０１８０】
本実施の形態では、記録済み放送番組一覧から録画した番組の詳細情報も表示させる事ができる。したがって、記録済み放送番組一覧自体の利便性や有用性の非常に高いものを表示提供できる。
【０１８１】
一方、図２２に示すように、複数の記録再生装置３４１，３４２，３４３が表示装置３４０に接続されている構成を想定する。この場合でも、表示装置側リモートコントローラ（図示せず）から記録済み放送番組一覧表の表示指示信号を受信した表示装置３４０は、まず表示装置３４０は、ＨＤＭＩケーブル等の通信手段を介した、各記録再生装置３４１〜３４３との情報やりとりを行う。これにより、表示装置３４０は、複数の記録再生装置３４１〜３４３の電源のＯＮ／ＯＦＦ状況を確認し、電源がＯＮ状態である記録再生装置３４１〜３４３を選ぶ。また、表示装置３４０には、記録再生装置３４１〜３４３に関する優先度情報が設定されている。
【０１８２】
次に、表示装置３４０は、上記優先度情報の優先度に基づいて決定された、一の記録再生装置３４１〜３４３で作成された、記録済み放送番組一覧表を表示する。つまり、予め設定されている優先順位に従い、表示装置３４０は、優先順位の高い記録再生装置３４１〜３４３から記録済み放送番組一覧表を取り出す。ここで、上記において、表示装置３４０は、電源がＯＮである記録再生装置３４１〜３４３を認識している。したがって、表示装置３４０は、電源がＯＮである記録再生装置３４１〜３４３の中から、上記優先度情報の優先度に基づいて、優先順位の高い一の記録再生装置３４１〜３４３を決定し、当該決定した一の記録再生装置で作成された記録済み放送番組一覧表を表示するようにしても良い。
【０１８３】
たとえば、図２２において、記録再生装置３４１が電源がＯＦＦであり、記録再生装置３４２，３４３が電源ＯＮであるとする。そして、表示装置３４０には、記録再生装置３４１の優先順位が最も高く、次いで記録再生装置３４２の優先順位が高く、記録再生装置３４３の優先順位が最も低い、優先情報が予め設定されているとする。この場合、表示装置３４０は、優先度が最も高い記録再生装置３４１の電源がＯＦＦであるので、次に優先度が高く、電源がＯＮである記録再生装置３４２を選択する。そして、表示装置３４０は、当該記録再生装置３４２から記録済み放送番組一覧表を取り出し、当該取り出した記録済み放送番組一覧表を表示する。
【０１８４】
従来では、複数の記録再生装置が接続されていた場合、ユーザが所定の記録再生装置を毎回指定する必要があった点にあったが、表示装置が上記優先情報を有している場合、その必要性が無くなる。
【０１８５】
また、上記各形態において、本発明に係る放送番組視聴システムを利用するユーザが複数いる場合には、記録再生装置は、ユーザ毎に記録済み放送番組を管理することができる。表示装置側リモートコントローラに対して、ユーザ選択操作が施されたとする（第二の操作の実施）。すると、当該表示装置は、当該第二の操作により特定されるユーザ識別情報信号をＨＤＭＩケーブル等の通信手段を経由して、記録再生装置に送信する。当該ユーザ識別情報信号を受信した記録再生装置は、当該ユーザ識別情報信号により特定される所定のユーザに関する、記録済み放送番組一覧表を作成する。表示装置は、記録再生装置から、当該所定のユーザに関する記録済み放送番組一覧表を抽出し、これを表示する。
【０１８６】
たとえば、図２３に示すように、表示装置の表示部３４４の一部には、記録済み放送番組一覧表３４５が表示されている。ここで、当該表示されている記録済み放送番組一覧表３４５の上部には、特定ユーザに対応した識別マークＭｏが選択可能に表示されている。大量の放送番組を保管できる記録再生装置においては、家族で１台の記録再生装置を利用するケースが多い。この場合、当該１台の記録再生装置には、保管番組や録画履歴・予約情報等を、「パパ」「ママ」「＊＊チャン」「＊＊君」といった特定ユーザの識別フラグにより分けて管理されている。
【０１８７】
上記複数のユーザの記録済み放送番組を管理している記録再生装置を備える放送番組視聴システム、表示装置側リモートコントローラを用いて、ユーザの選択を行う。たとえば、図２３の記録済み放送番組一覧表３４５上部には、矢印の左右方向マークが表示されており、当該リモートコントローラの左右キーを操作して、上記識別マークＭｏを変化させる。そして、所定のユーザに関する識別マークＭｏが表示された場合は、当該リモートコントローラを用いて、決定処理を行う（当該、識別マークＭｏ変更および決定処理が上記第二の処理と把握できる）。すると、表示装置は、第二の処理により生成されたユーザ識別情報信号を、ＨＤＭＩケーブル等を介し記録再生装置に送信する。
【０１８８】
上記ユーザ識別情報信号を受信した記録再生装置は、上記で選択された所定のユーザに限定した記録済み放送番組一覧表を編集・作成する。そして、記録再生装置は、当該作成された記録済み放送番組一覧表を、ＨＤＭＩケーブル等を介して表示装置へ送信する。結果として、表示装置には、所定のユーザに限定した記録済み放送番組一覧表が表示される。
【０１８９】
従来では、複数のユーザが放送番組視聴システムを利用している場合において、特定のユーザが録画した、当該特定のユーザ限定の記録済み放送番組一覧を表示させる事ができなかった。
【０１９０】
しかし、上記により、複数のユーザが放送番組視聴システムを利用する場合における、表示装置を使用中のユーザに限定された範囲での記録済み放送番組一覧も表示できる。なお、上記と同様に、記録済み放送番組一覧から録画した番組の詳細情報も表示させる事ができる。したがって、記録済み放送番組一覧自体の利便性や有用性の非常に高いものを表示提供できる。
【０１９１】
なお、本発明では、記録するためのドライブとしてハードディスクドライブ（ＨＤＤ）について言及していが、光ディスクドライブであっても、メモリカードであっても良い事は言うまでもない。また、ＨＤＤがＡＴＡＰＩ（ＡＴＡパケットインターフェイス）等を介して、記録再生装置から分離されていても良い。
【０１９２】
また、本発明では、記録再生装置と表示装置が別々の筐体に分かれた形態で示されている。しかし、これら二つの装置が１つの筐体内に配設されても良い。この場合、両装置を結ぶ情報通信手段も一の筐体内に配設される。一の記録再生装置と一の表示装置とが一の筐体内に配設され、当該一の記録再生装置と他の表示装置との間を、ＨＤＭＩケーブル等の通信手段でリンク接続しても良い。
【０１９３】
なお、本発明は、たとえば、デジタル放送を受信表示するデジタル放送対応液晶テレビと、ＨＤＭＩ等の双方向でデータ送受信可能なインターフェイスで相互に接続されたＨＤＤ内蔵ＤＶＤ（Ｄｉｇｉｔａｌ  Ｖｅｒｓａｔｉｌｅ  Ｄｉｓｋ）レコーダーに適用できる。
【図面の簡単な説明】
【０１９４】
【図１】実施の形態１に係る放送番組視聴システムの構成を示すブロック図である。
【図２】実施の形態１に係る放送番組視聴システムの動作を説明するためのフローチャートである。
【図３】実施の形態１に係る放送番組視聴システムの動作を説明するためのフローチャートである。
【図４】表示装置の表示部の一部に、記録済み放送番組一覧表を表示する様子を示す図である。
【図５】実施の形態２に係る放送番組視聴システムの動作を説明するためのフローチャートである。
【図６】実施の形態２に係る放送番組視聴システムの動作を説明するためのフローチャートである。
【図７】実施の形態３に係る放送番組視聴システムの構成を示すブロック図である。
【図８】記録再生装置内部の概略構成を示すブロック図である。
【図９】実施の形態３に係る放送番組視聴システムの動作を説明するためのフローチャートである。
【図１０】所定数の記録済み放送番組例を示す図である。
【図１１】実施の形態３に係る放送番組視聴システムの動作を説明するための図である。
【図１２】実施の形態３に係る放送番組視聴システムの動作を説明するための図である。
【図１３】実施の形態３に係る放送番組視聴システムの動作を説明するための図である。
【図１４】実施の形態３に係る放送番組視聴システムの動作を説明するための図である。
【図１５】実施の形態３に係る放送番組視聴システムの動作を説明するためのフローチャートである。
【図１６】実施の形態３に係る放送番組視聴システムの動作を説明するためのフローチャートである。
【図１７】実施の形態３に係る放送番組視聴システムの動作を説明するためのフローチャートである。
【図１８】記録済み放送番組一覧表を例を示す図である。
【図１９】実施の形態３に係る放送番組視聴システムの動作を説明するためのフローチャートである。
【図２０】実施の形態３に係る放送番組視聴システムの動作を説明するためのフローチャートである。
【図２１】実施の形態３に係る放送番組視聴システムの動作を説明するためのフローチャートである。
【図２２】表示装置に複数台の記録再生装置が接続された、放送番組視聴システム構成を示す図である。
【図２３】所定のユーザの記録済み放送番組一覧表を表示させる動作を説明するための図である。
【符号の説明】
【０１９５】
１０１，３０４，３４０，３４４  表示装置、１０２，３０１，３４３  記録再生装置、１０３  ＨＤＭＩケーブル、１０４，１２１  アンテナ、１０５，１２２  チューナー部、１０６，１２３  復調・誤り訂正部、１０７  デコード部、１０８  入力切換部、１０９  映像音声表示部、１１０，１２６，３１０  ＣＰＵ、１１１，１２７  ＲＯＭ、１１２，１２８  ＲＡＭ、１１３，１２９  ＣＰＵバス、１１４，１３０，３０３  リモートコントローラ、１１５，１３１  リモートコントローラ受光部、１１６，１３２  ＨＤＭＩインターフェイス部、１１７，１３３  ＣＥＣライン、１２４  デコード部、１２５  蓄積部、１３４，３４５  記録済み放送番組一覧表、３２０  ＥＰＧ部、３２１  エンコーダ／デコーダ制御部、３２２  システム制御部、３２８  録画予約部、３２３  表示系制御部、３２９  番組推奨部、３２４  ＥＰＧ制御部、３２５  ＥＰＧデータ解析部、３２６  ＥＰＧデータバックアップ部、３２７  ＥＰＧデータベース。
【図１】
0005153311.tif 000002
【図２】
0005153311.tif 000003
【図３】
0005153311.tif 000004
【図４】
0005153311.tif 000005
【図５】
0005153311.tif 000006
【図６】
0005153311.tif 000007
【図７】
0005153311.tif 000008
【図８】
0005153311.tif 000009
【図９】
0005153311.tif 000010
【図１０】
0005153311.tif 000011
【図１１】
0005153311.tif 000012
【図１２】
0005153311.tif 000013
【図１３】
0005153311.tif 000014
【図１４】
0005153311.tif 000015
【図１５】
0005153311.tif 000016
【図１６】
0005153311.tif 000017
【図１７】
0005153311.tif 000018
【図１８】
0005153311.tif 000019
【図１９】
0005153311.tif 000020
【図２０】
0005153311.tif 000021
【図２１】
0005153311.tif 000022
【図２２】
0005153311.tif 000023
【図２３】
0005153311.tif 000024